(57)【特許請求の範囲】
【請求項１】
シャフト（1）周囲に点火プラグ（37）とトップフィードインジェクター（116）部分を具備したシリンダー（3）を設けた部分と、シリンダーヘッド（十字ギア用の9またはバルブ及び円盤カム用の127）・燃焼室（7）・ピストン（5）・稼動受プロペラ用のピストン軸（43）または稼動羽受ファン用の可変ピストン軸（153）・稼動誘導軸孔（60）・ピストン軸用の稼動誘導ローラー（4）または可変ピストン軸用のピストン軸ボール・（154）・バルブ（114）とバルブスプリング（113）と円盤カム用バルブリフター（129・130）と吸排気ポート（118・117）と円盤カム用シリンダーヘッド（127）と円盤カム（111）の部分からなる吸排気機構付円盤カム用シリンダーヘッド（141）又は十字ギア（12）とカム軸（11）とヘッドギア（41）とシリンダー受エンド（9）の部分からなる吸排気機構付シリンダーヘッド（110）・ピストン軸用の稼動受プロペラ（2）または可変ピストン軸用の稼動羽受ファン（148）、これ等を直列配置した部分と、内部稼動受プロペラ管（27）の周囲羽根同士の間隔無し状態に傾斜によるピストンの動きを回転に変えると同時に羽根で起こす風で冷却効果と、羽根に受ける風で燃費効果を生む稼動羽受プロペラ片（149）を気筒数に応じて１から３０箇所設けた稼動羽受ファン（148）の部分と、シャフト（1）固定部の内部稼動受プロペラ管（27）の周囲にピストン運動を回転に変え、外部稼動受プロペラ管（55）の保持の押し戻し扇（18）を押し戻し扇（18）分の間隔を開けて交互に気筒数に応じて１から15箇所設けた形状の扇風シャフト（170）の押し戻し扇（18）外周弧に外部稼動受プロペラ管（55）を溶着して固定したものを、シリンダー側から見て右回転の場合は、押し戻し扇（18）の手前の辺が右で、奥の辺が左なる向きで、押し戻し扇（18）の外弧に稼動誘導ローラー（4）が滑動するように滑合部を設けた部分の間隔を開けて、押し戻し扇（18）の外弧に対設にレールカバー（73）を外部稼動受プロペラ管（55）の内側側面に溶着し、押し戻し扇（18）の右辺と、右側の押し戻し扇（18）の左辺に稼働受レール（17）を渡設して両辺と外部稼動受プロペラ管（55）の内側側面に溶着し、その稼働受レール（17）の外弧に稼動誘導ローラー（4）が滑動するように滑合部を設けた部分の間隔を開けて、稼働受レール（17）の外弧に対設で、レールカバー（73）に渡設位置に、両辺と外部稼動受プロペラ管（55）の内側側面に溶着した稼動受プロペラ（2）の部分と、または外部稼動受プロペラ管（55）の内周面の押し戻し扇（18）・レールカバー（73）・稼働受レール（17）・戻し引きレール（72）で形成する誘導レール（168）の代わりに誘導溝（169）設けた誘導リング（167）部分と、外部稼動受プロペラ管（55）の内周面にピストン軸（43）の前後移動を回転に変えるための稼動誘導ローラー（4）が転がりながら手前から奥へ、奥から手前へ交互に気筒数に応じて適宜に割設した溝が周設され稼働時には稼動誘導ローラー（4）が摺動して循環する手前から奥の溝の奥辺と手前から奥の溝の手前辺と奥から手前の溝の奥辺と奥から手前の溝の手前辺の内の手前から奥の溝の奥辺と奥から手前の溝の奥辺の何れかの辺とシャフト（1）固定部の内部稼動受プロペラ管（27）の間で気筒数に応じて適宜の位置に羽根を形成し、冷却効果や燃費効果を必要��応じて上げるため、手前から奥の溝の手前辺と奥から手前の溝の手前辺との間が間隔なしか、適宜に間隔を開けて逆の傾斜の小プロペラ片（100）を設けることも可能な部分これら全てからなる多目的プロペラアロウズエンジン。
【発明の詳細な説明】
【技術分野】
【０００１】
本考案は、自動車やエアーモーターなどの機械全般の動力部にあたるエンジン本体のピストンやシリンダーなどの全ての部品に関する形状と配置と可動行程を全て見直した構造の多目的発動機であり、従来のものと違いピストンを囲んだ部分であるシリンダー部分は、シャフト（１）の周囲に配置し、そこから伸びるコンロッド（39）に当たる部分がピストン軸（43）または可変ピストン軸（153）になり、クランクアーム（31）の役目の部分が稼動受プロペラ（2）または稼動羽受ファン（148）になり、クランクピン（32）に当たる部分が稼動誘導ローラー（4）またはピストン軸ボール（154）になりピストン下部の軸に可動可能に嵌設されたコンロッド（39）の上部の役目の部分がピストン軸（43）の四角い形状に可動可能に嵌設されたピストン壁（98）の四角い穴の稼動誘導軸孔（60）になり、稼動時にはピストン（5）の前後運動をピストン軸（43）または可変ピストン軸（153）の先端部の稼動誘導ローラー（4）またはピストン軸ボール（154）で稼動受プロペラ（2）または稼動羽受ファン（148）の稼働受レール（17）または稼動羽受プロペラ片（149）の傾斜により回転に変える行程を4回繰り返して1回転をつくる多目的プロペラアロウズエンジンに関するものである。
【背景技術】
【０００２】
今日、動力源である一般的なエンジンは、図１8の様に、燃焼室（38）の中のピストン（36）を上下運動させ、ピストン下部の軸に可動可能に嵌設されたコンロッド（39）の上部と、クランク・ジャーナル（30）によりクランクアーム（31）を介して偏移の位置に設けたクランクピン（32）に可動可能に嵌設されたコンロッド（39）の下部で回転に変えていた。
【先行技術文献】
【特許文献】
【０００３】
【特許文献１】なし
【非特許文献】
【０００４】
【非特許文献１】なし
【発明の概要】
【発明が解決しようとする課題】
【０００５】
本発明は、上記従来のエンジンの問題点の一つが冷却効率で、ピストン（36）下部の軸とクランクピン（32）に可動可能に嵌設されたコンロッド（39）上下部の摩擦熱とエンジン冷却を考えた構造配置を見直すとともに、更なる燃費効率目指すものである。
【課題を解決するための手段】
【０００６】
上記の目的を達成するための技術的手段は、従来のピストン（36）に当たる部分をシャフト（クランク・ジャーナル）の周囲に配置し、コンロッド当たるピストン軸（43）または可変ピストン軸（153）と、クランクアーム（31）にあたる稼動受プロペラ（2）または稼動羽受ファン（148）と、クランクピン（32）にあたる稼動誘導ローラー（4）またはピストン軸ボール（154）と、コンロッド（39）の上部接続部位にあたる稼動誘導軸孔（60）と、ピストン（５）すべてが総同一方向型直列配置エンジン。
【０００７】
これを構成するためシャフト（1）周囲に点火プラグ（37）とトップフィードインジェクター（116）部分を具備したシリンダー（3）を設けた部分と、シリンダーヘッド（十字ギア用の9またはバルブ及び円盤カム用の127）・燃焼室（7）・ピストン（5）・稼動受プロペラ用のピストン軸（43）または稼動羽受ファン用の可変ピストン軸（153）・稼動誘導軸孔（60）・ピストン軸用の稼動誘導ローラー（4）または可変ピストン軸用のピストン軸ボール・（154）・バルブ（114）とバルブスプリング（113）と円盤カム用バルブリフター（129・130）と吸排気ポート（118・117）と円盤カム用シリンダーヘッド（127）と円盤カム（111）の部分からなる吸排気機構付円盤カム用シリンダーヘッド（141）又は十字ギア（12）とカム軸（11）とヘッドギア（41）とシリンダー受エンド（9）の部分からなる吸排気機構付シリンダーヘッド（110）・ピストン軸用の稼動受プロペラ（2）または可変ピストン軸用の稼動羽受ファン（148）、これ等を直列配置した部分と、内部稼動受プロペラ管（27）の周囲羽根同士の間隔無し状態に傾斜によるピストンの動きを回転に変えると同時に羽根で起こす風で冷却効果と、羽根に受ける風で燃費効果を生む稼動羽受プロペラ片（149）を気筒数に応じて１から３０箇所設けた稼動羽受ファン（148）の部分と、シャフト（1）固定部の内部稼動受プロペラ管（27）の周囲に多目的プロペラアロウズエンジン稼動時に押し戻し扇（18）の回転で空気の流れによる冷却効果と乗物の原動機に使用したときに押し戻し扇（18）に受ける空気の流れによって得られる燃費効率と稼動時にピストン軸（43）の前後運動で稼動受プロペラ（2）の押し戻し扇（18）の回転を作ることで、ピストン運動を回転に変え、外部稼動受プロペラ管（55）の保持の押し戻し扇（18）を押し戻し扇（18）分の間隔を開けて交互に気筒数に応じて１から15箇所設けた形状の扇風シャフト（170）の押し戻し扇（18）外周弧に外部稼動受プロペラ管（55）を溶着して固定したものを、シリンダー側から見て右回転の場合は、押し戻し扇（18）の手前の辺が右で、奥の辺が左なる向きで、押し戻し扇（18）の外弧に稼動誘導ローラー（4）が滑動するように滑合部を設けた部分の間隔を開けて、押し戻し扇（18）の外弧に対設にレールカバー（73）を外部稼動受プロペラ管（55）の内側側面に溶着し、押し戻し扇（18）の右辺と、右側の押し戻し扇（18）の左辺に稼働受レール（17）を渡設して両辺と外部稼動受プロペラ管（55）の内側側面に溶着し、その稼働受レール（17）の外弧に稼動誘導ローラー（4）が滑動するように滑合部を設けた部分の間隔を開けて、稼働受レール（17）の外弧に対設で、レールカバー（73）に渡設位置に、両辺と外部稼動受プロペラ管（55）の内側側面に溶着した稼動受プロペラ（2）の部分と、または外部稼動受プロペラ管（55）の内周面の押し戻し扇（18）・レールカバー（73）・稼働受レール（17）・戻し引きレール（72）で形成する誘導レール（168）の代わりに誘導溝（169）設けた誘導リング（167）部分と、外部稼動受プロペラ管（55）の内周面にピストン軸（43）の前後移動を回転に変えるための稼動誘導ローラー（4）が転がりながら手前から奥へ、奥から手前へ交互に気筒数に応じて適宜に割設した溝が周設され稼働時には稼動誘導ローラー（4）が��動して循環する手前から奥の溝の奥辺と手前から奥の溝の手前辺と奥から手前の溝の奥辺と奥から手前の溝の手前辺の内の手前から奥の溝の奥辺と奥から手前の溝の奥辺の何れかの辺とシャフト（1）固定部の内部稼動受プロペラ管（27）の間で気筒数に応じて適宜の位置に羽根を形成し冷却効果や燃費効果を必要に応じて上げるため手前から奥の溝の手前辺と奥から手前の溝の手前辺との間が間隔なしか、適宜に間隔を開けて逆の傾斜の小プロペラ片（100）を設けることも可能な部分これら全てからなる多目的プロペラアロウズエンジン
【０００８】
押し戻し扇（18）・稼動羽受プロペラ片（149）の共通加工例は、外部稼動受プロペラ管（55）を幾つも繋ぎ合わせた形状の長いパイプ形状ものの中央に内部稼動受プロペラ管（27）を幾つも繋ぎ合わせた形状の長いパイプ形状のものを置き、その間の周囲に螺旋を形成した螺旋部品（164）の先端部を３６０°÷気筒数＝中心から描く弧の角度に螺旋形成開始位置から分割カットするもので、使用例4気筒の場合は、先端部を螺旋形成開始位置から十文字にカットして出来たプロペラ片集合材（166）の先端部の螺旋形成開始位置の辺から螺旋を９０°下った扇形状の下の辺の位置で辺に合わせて水平に横カットしてできたプロペラ片材（145）を、金太郎飴のように所定の位置でカットして４つ作り、プロペラ片材（145）の内側である内部稼動受プロペラ管（27）を4等分した面を寄せ集めて再度内部稼動受プロペラ管（27）を形成するように溶着した部品と、上記とは逆の方向に螺旋部品をカットしたものを今度は交互にプロペラ片材（145）の内側である内部稼動受プロペラ管（27）を4等分した面を寄せ集めて再度内部稼動受プロペラ管（27）を形成するように溶着した物の側面同士を溶着して、その側面の接続面に適宜にRをつけて湾曲し、滑らかな波打った形状の押し戻し扇（18）の輪が出来、この押し戻し扇（18）の輪の円周に外部稼動受プロペラ管（55）の内周面を溶着して、シリンダー側から見て右回りの場合は、右上がりの傾斜の押し戻し扇（18）の内部稼動受プロペラ管（27）側から外部稼動受プロペラ管（55）から稼動誘導ローラー（4）の横幅分のスペースを残して切削してのこつた部分が稼働受レール（17）になり、これと同じもので稼動誘導ローラー（4）のローラー幅分のスペースを開けて対設に外部稼動受プロペラ管（55）の内周面に溶着して設けたのが戻し引きレール（72）になり、またこれと同じ共通形状のレールカバー（73）を左上がりの傾斜の押し戻し扇（18）の外周面から稼動誘導ローラー（4）のローラー幅分のスペースを開けて対設に外部稼動受プロペラ管（55）の内周面に溶着した部分と、レールカバー（73）と戻し引きレール（72）の両サイドの接続面を溶着して出来た稼働受２プロペラ（139）に押し戻し扇（18）の外周弧を内周よりに稼動誘導ローラー（4）の横幅分以上のスペースを切削した小プロペラ片（100）の内側の弧を稼働受レール（17）側で、逆傾斜に内部稼動受プロペラ管（27）側面に溶着した稼動受プロペラ（2）と、シリンダー受エンド（９）又は円盤カム用シリンダーヘッド（127）より一回り小さい円盤状のもの中央にシャフト（１）用の穴である円盤カム用シャフト用孔（128）を切削した部分と、次に吸気用カムピン（123）と排気用カムピン（124）の位置は気筒数や稼働行程に応じて適宜に等間隔に配置するもので、使用例として4気筒の場合は、円盤状の外周寄り片面の吸気孔位置の円盤カム用バルブリフター（129）分の長さの位置または円盤カム用シリンダーヘッド（127）と円盤カム（111）のシャフト口同士を合わせ、円盤カム用シリンダーヘッド（127）の円盤カム吸気孔（137）と合う円盤カム（111）任意の位置に吸気用カムピン（123）を設け、この位置と基点の円盤カム用シャフト用孔（128）を結ぶラインから右へ90°で、排気孔位置の円盤カム用バルブリフター（130）分の長さの位置また���円盤カム用シリンダーヘッド（127）と円盤カム（111）のシャフト口同士と、円盤カム吸気孔（137）には吸気用カムピン（123）を合わせた右の円盤カム排気孔（138）の位置に排気用カムピン（124）を設けた形状の円盤カム（111）とで、上記の稼働羽受プロペラ（148）か、稼動受プロペラ（2）にシャフト（１）が4分の１または用途やサイズに応じて適宜の位置に挿通し、接続部を融着させた部分と、これよりピストンエンジン結束部（25）分の間隔をあけた端にバルブリフターや十字ギア（12）の吸排気行程の稼働のための押し出しや回転を伝えるピン歯車（111）か、ヘッドギア（41）を設けた円盤カム用稼動部（140）か、稼動部（20）と、円盤状の中央にシャフト孔（48）部分と、その外側にシリンダー用孔（47）を１から２０箇所の貫通孔部分と、シリンダー用孔（47）同士の間に穴を設けた内寄りの通気口（70）部分と、シリンダー用孔（47）同士の間の外側に穴を設けた外寄りの通気口（69）部分を設けたこれらの形状からなるシリンダー受トップ（42）と、上記シリンダー受トップ（42）と略同じ形状でシリンダー用孔（４７）にあたる貫通孔の代わりに円盤の厚みの半分だけ窪んだシリンダー用窪み部（74）１から２０箇所の部分と、窪みの中心になるカム軸（11）がくる部分よりも上に吸気孔（75）と、それより右側でカム軸（11）がくる横部分に排気孔（16）を設けた形状で、使用例４気筒としては、窪んだシリンダー用窪み部（74）４つがある面のうちシリンダー受エンド（9）の円上側の２つの共通窪み形状は窪みの中心であるカム軸（11）より上に吸気配管（10）から来る吸気中継配管（142）と接続貫通する吸気孔（75）部分と、カム軸（11）より右側に設けた排気配管（89）から来る排気中継配管（143）と接続貫通する排気孔（16）部分と、これとは反対にシリンダー受エンド（9）の円下側半分はシャフト（1）を中心として点対称に２つのシリンダー用窪み部（74）の吸気孔（75）位置と排気孔（16）位置が配置されたこれらの形状からなるシリンダー受エンド（９）を、シリンダー（3）の片側をピストン壁（98）で閉じ、その閉じた方の先端部付近の外周をシリンダー受トップ（42）のシリンダー用孔（47）で固定し、閉じてない方をシリンダー受エンド（9）のシリンダー用窪み部（74）か、または円盤カムの場合は円盤カム用シリンダーヘッド（127）のシリンダー用窪み部（74）で嵌着または溶着したもの、またはこの形状に鋳造した構造のシリンダーブロック（109）と、円柱形状のピストン（5）の片側シリンダーヘッド側の平面に窪みを切削したピストンキャビティ（115）部と、外周にピストンリング（６）を1から５つ設けたピストン（5）で、このピストン（5）より一回り大きい筒型形状のシリンダー（3）に対して、ピストン（5）が前後移動可能に内装し、稼動受プロペラ（2）または稼働羽受プロペラ（148）側のピストン（5）の中央に接続した四角柱の稼動誘導軸であるピストン軸（43）または稼働羽受プロペラ（148）使用の場合は可変ピストン軸（153）部分と、上記シリンダー（3）のピストン軸（43）があるピストン（5）側、別に言い換えると稼動受プロペラ（2）がある方のシリンダー（3）側面を中央に稼動誘導軸用の四角い穴を設けた稼動誘導軸孔（60）設けたピストン壁（98）で閉るように溶着した部分と、先ほどの稼動誘導軸孔（60）にピストン軸（43）が前後移動出来る様に軸架して、さらにシリンダー（3）の外に出たピストン軸（43）の先端部側面に回転可能に嵌設された車輪状の下記稼動誘導ローラー（4）を設けた部分と、シリンダーヘッド側面か、閉じていないシリンダー（3）側面にプラグ（37）とトップフィードインジェクター（116）を設けた部分からなるピストンエンジン部（54）と、円盤形状のものの中央にシャフト用孔（48）を設けた部分と、その周囲に円盤の厚みの半分だけ窪んだシリンダー用窪み部（74）１から２０箇所の部分と、この部分のシリンダー用窪み部（74）である一段目の窪みの中のシャフト用孔（48）よりの位置と、その延長線上の外周よりに、さらに円盤の厚みの半分だけ窪みである二段目の窪みと、そのそれぞれの中央にその窪みの半分の直径の大きさの貫通孔を設け、二段目の窪みの周囲にリング状のバルブシート（119）を嵌着してバルブシート（119）の穴と貫通孔が同じ大きさの貫通孔になり、そこに管状のバルブガイド（120）を嵌着して出来たシャフト用孔（48）よりの円盤カム排気孔（138）部分と、外周よりの円盤カム吸気孔（137）部分からなる円盤カム用シリンダーヘッド（127）で、この円盤カム用シリンダーヘッド（127）の窪みがない面の円盤カム吸気孔（137）位置に四角い容器形状の吸気ポート（118）を被せる様に設置面を溶着し、その吸気ポート（118）底部付近の任意の位置に吸気配管（10）を接続した部分と、円盤カム用シリンダーヘッド（127）の窪みがない面の円盤カム排気孔（138）位置に四角い容器形状の排気ポート（117）を被せる様に設置面を溶着し、その排気ポート（117）底部付近の任意の位置に排気配管（89）を接続した部分と、細い棒状の先端にラッパ形状の先端のバルブ（114）を円盤カム吸気孔（137）から吸気ポート（118）底部穴を開け突き出た部分にバルブスプリング（113）を通して、バルブ（114）のラッパ形状の先端の反対側を、長方形の先端部に斜めの傾斜30°から60°の何れか適宜の角度に切削した吸気孔位置の円盤カム用バルブリフター（129）部分と、細い棒状の先端にラッパ形状の先端のバルブ（114）を円盤カム排気孔（138）から排気ポート（117）底部穴を開け突き出た部分にバルブスプリング（113）を通して、バルブ（114）のラッパ形状の先端の反対側を、長方形の先端部に斜めの傾斜30°から60°の何れか適宜の角度に切削した排気孔位置の円盤カム用バルブリフター（130）部分が、シリンダー用窪み部（74）の数だけ各部分を設けた構造の吸排気機構付円盤カム用シリンダーヘッド（141）と、これら稼動部と本体固定部からなるプロペラアロウズエンジンの各部の接続構造は、本体固定のシリンダーブロック（109）の前方に各ピストン軸の付いたピストン（5）を内装し、後方を吸排気機構付円盤カム用シリンダーヘッド（141）で閉じた構造のピストンエンジン結束部（25）の各ピストン軸（43）の先端部の稼動誘導ローラー（4）が稼動部（20）の稼動受プロペラ（2）の押し戻し扇（18）とレールカバー（73）の間に例えば第一エンジン（56）の先端部と、対角線上の押し戻し扇（18）とレールカバー（73）の間に例えば第三エンジン（58）の先端部と、稼働受レール（17）と戻し引きレール（72）の間に例えば第二エンジン（57）の先端部と、対角線上の稼働受レール（17）と戻し引きレール（72）の間に例えば第四エンジン（59）の先端部とに可動可能にレールの溝に嵌め込まれた部分と、円盤カム用稼動部（140）の稼動受プロペラ（２）と円盤カム（111）の間の位置のシャフト（1）がシリンダー受トップ（42）とシリンダー受エンド（９）のシャフト用孔（48）に回転可能に軸支され、さらに何れかの吸気状態のエンジン（56・57・58・59）の吸気孔位置の円盤カム用バルブリフター（129）に円盤カム（111）の吸気用カムピン（123）と反時計周りに隣の排気状態のエンジン（56・57・58・59）の排気孔位置の円盤カム用バルブリフター（130）に円盤カム（111）の排気用カムピン（124）とがそれぞれ歯合する位置にセットし、次に前方のシャフト（1）から稼動受プロペラ（２）の位置に本体固定の回転体第一保持部（46）のシャフト口（28）を通した部分と稼動受プロペラ（２）の後方のシャフト（1）に回転体第二保持部（71）のシャフト口（28）通した部分とで稼動部（20）を回転可能に軸架した部分と、シリンダー受トップ（42）とシリンダー受エンド（9）の外側ふちの部分を台座や本体ボディーに据付や嵌着して固定する構造になっている。
【０００９】
次にプロペラアロウズエンジン4気筒の稼動行程一例はまず吸排気口開閉第１行程の第一エンジン（56）の円盤カム（111）の吸気用カムピン（123）と排気用カムピン（124）の位置が吸気孔位置の円盤カム用バルブリフター（129）と排気孔位置の円盤カム用バルブリフター（130）どちらの位置から外れている状態で、次に第四稼動行程の第一エンジン（56）の膨張前の状態からプラグ（37）点火により燃焼室（7）の空間が広がった状態で、前後移動のピストン軸（43）の稼動誘導ローラー（４）が、ピストン軸（43）側から見て手前(山)である時計回りに回転移動の稼動受プロペラ（2）の稼働受レール（17）の傾斜右端に押し込み、傾斜を稼動誘導ローラー（４）が転がりながらシリンダー側から見て奥(谷)であるピストン軸（43）とは反対側寄りの稼働受レール（17）の左端位置に稼動受プロペラ（2）を回転移動させ第一稼動行程の膨張状態に移り、稼動受プロペラ（2）を4分の１回転させると同時に、吸排気口開閉第１行程の第二エンジン（57）の円盤カム（111）の吸気用カムピン（123）と排気用カムピン（124）の位置が吸気孔位置の円盤カム用バルブリフター（129）と排気孔位置の円盤カム用バルブリフター（130）どちらの位置から外れている状態で、次に第四稼動行程の第二エンジン（57）の圧縮前の状態から上記第一稼動行程の第一エンジン（56）膨張による4分の１回転により、第二エンジン（57）のピストン軸（43）の稼動誘導ローラー（４）がピストン軸（43）側から見て左上がり（左手前）の傾斜の押し戻し扇（18）により、ピストン軸（43）が押し戻され、吸排気機構付シリンダーヘッド（110）側にピストン（5）の位置が移動して、燃焼室（７）の空間が狭くなった状態でプラグ（37）の点火前にある第一稼動行程の圧縮状態に移り、またこの時に上記の押し戻し扇（18）が９０°移動した際に前方の空気を後方に送っていると同時に、吸排気口開閉第１行程の第三エンジン（58）の吸気孔位置の円盤カム用バルブリフター（129）と円盤カム（111）の吸気用カムピン（123）が歯合する位置で、吸気配管（10）から吸気ポート（118）を中継して燃焼室（7）へ吸気され、次に第四稼動行程の第三エンジン（58）吸気前の状態から上記第一稼動行程の第一エンジン（56）膨張による4分の１回転により、第三エンジン（58）のピストン軸（43）の稼動誘導ローラー（４）が第三エンジン（58）側から見て右下がり（右奥）の傾斜の戻し引きレール（72）に引かれて山（シリンダー寄り）を下り、ピストン軸（43）が引かれる事で、ピストン壁（98）側にピストン（5）の位置が移動して、燃焼室（７）の空間が広がり、吸気配管（10）・十字ギア吸気孔（13）・吸気中継配管（142）・吸気孔（75）を通り吸気する第一稼動行程の吸気状態に移ると同時に、吸排気口開閉第１行程の第四エンジン（59）の排気孔位置の円盤カム用バルブリフター（130）と円盤カム（111）の排気用カムピン（124）が歯合する位置で、燃焼室（7）から排気ポート（117）を中継して排気配管（89）へ排気され、次に第四稼動行程の第四エンジン（59）排気前の状態から上記第一稼動行程の第一エンジン（56）膨張による4分の１回転により、第四エンジン（59）のピストン軸（43）の稼動誘導ローラー（４）が第四エンジン（59）側から見て右上がり（右手前）の傾斜の押し戻し扇���18）に押し戻され山（シリンダー寄り）を上り、ピストン軸（43）が押される事で、吸排気機構付シリンダーヘッド（110）側にピストン（5）の位置が移動して、燃焼室（７）の空間が狭くなり、第一稼動行程の排気状態に移り、またこの時に上記の押し戻し扇（18）が９０°移動した際に前方の空気を後方に送っている事で、各シリンダーの一つの行程が終了し、次の行程は第二エンジン（57）は膨張状態に移り、稼動受プロペラ（2）を4分の１回転させると同時に第三エンジン（58）は圧縮状態に移り、またこの時に上記の押し戻し扇（18）が９０°移動した際に前方の空気を後方に送っていると同時に、第四エンジン（59）は吸気状態に移ると同時に、第一エンジン（56）は排気状態に移り、またこの時に上記の押し戻し扇（18）が９０°移動した際に前方の空気を後方に送っている事で各シリンダーの一つの行程が終了し、次の行程は第三エンジン（58）膨張状態に移り、稼動受プロペラ（2）を4分の１回転させると同時に、第四エンジン（59）圧縮状態に移り、またこの時に上記の押し戻し扇（18）が９０°移動した際に前方の空気を後方に送っていると同時に、第一エンジン（56）吸気状態に移ると同時に、第二エンジン（57）排気状態に移り、またこの時に上記の押し戻し扇（18）が９０°移動した際に前方の空気を後方に送っている事で各シリンダーの一つの行程が終了し、次の行程は第四エンジン（59）膨張状態に移り、稼動受プロペラ（2）を4分の１回転させると同時に、第一エンジン（56）圧縮状態に移り、またこの時に上記の押し戻し扇（18）が９０°移動した際に前方の空気を後方に送っていると同時に、第二エンジン（57）吸気状態に移ると同時に、第三エンジン（58）排気状態に移り、またこの時に上記の押し戻し扇（18）が９０°移動した際に前方の空気を後方に送っている事で各シリンダーの一つの行程が終了し、これら４行程を繰り返して回転を作る。
【発明の効果】
【００１０】
以上のように請求項１記載の発明により、摩擦部が一点付近に集中せず、さらに縦の配置と、稼動受プロペラ（２）または稼動羽受ファン（148）の形状により冷却効果の高い構造することで、発電機やエアーコンプレッサー、さらには原動機付きの乗り物が高速移動時に受ける風の流れで稼動受プロペラ（２）または稼動羽受ファン（148）の回転を助けることにより燃費向上が考えられ使用する用途が増える。
【図面の簡単な説明】
【００１１】
【図１】プロペラアロウズエンジン右側面図
【図２】プロペラアロウズエンジン・4ピストン型スターリングエンジンの縦断面図
【図３】プロペラアロウズエンジンの各部横断面図
【図４】プロペラアロウズエンジン左側面図
【図５】押し戻し扇と稼動羽受プロペラ片の共通形状の六面図
【図６】稼働受レール・戻し引きレール・レールカバー共通形状の六面図
【図７】小プロペラ片なしの稼働受２プロペラの背面図と縦断面図
【図８】小プロペラ片なしの稼働受２プロペラの正面図と横断面図
【図９】ピストン固定部と十字ギアとヘッドギアの部品図
【図１０】ピストン部の部品図
【図１１】ピストン軸の先端部構造図
【図１２】台座の平面、正面、背面、側面図
【図１３】ローター部（稼動部）とピストン部の側面図
【図１４】ローター部（稼動部）側面図と本体固定部側面図
【図１５】円盤カム用稼動部とシリンダーブロックと吸排気機構付シリンダーヘッドの側面図
【図１６】プロペラアロウズエンジンの稼動受プロペラの稼動行程略図１，２
【図１７】プロペラアロウズエンジンの稼動受プロペラの稼動行程略図３，４
【図１８】従来のエンジン
【図１９】従来の水平気筒エンジン
【図２０】吸排気口開閉行程略図１・２
【図２１】吸排気口開閉行程略図3・4
【図２２】円柱片材展開図
【図２３】円柱片材カット図
【図２４】プロペラアロウズエンジンの空気の流れ縦断面図
【図２５】小プロペラ片の六面図
【図２６】プロペラアロウズエンジン正面図
【図２７】稼動受プロペラの背面図と縦断面図
【図２８】稼動受プロペラの正面図と横断面図
【図２９】プロペラアロウズエンジン背面図の吸排気口開閉行程１
【図３０】プロペラアロウズエンジン背面図の吸排気口開閉行程2
【図３１】プロペラアロウズエンジン背面図の吸排気口開閉行程3
【図３２】プロペラアロウズエンジン背面図の吸排気口開閉行程4
【図３３】プロペラアロウズエンジンの平面・下面図
【図３４】プロペラアロウズエンジン稼動羽受ファンと円盤カム仕様の横断面図
【図３５】円盤カム用シリンダーヘッド拡大断面図
【図３６】プロペラアロウズエンジン円盤カム背面図の吸排気口開閉行程１
【図３７】プロペラアロウズエンジン円盤カム背面図の吸排気口開閉行程2
【図３８】プロペラアロウズエンジン円盤カム背面図の吸排気口開閉行程3
【図３９】プロペラアロウズエンジン円盤カム背面図の吸排気口開閉行程4
【図４０】円盤カム平面図・断面図
【図４１】プロペラアロウズエンジンの円盤カム背面図
【図４２】プロペラアロウズエンジンの円盤カム無し背面図
【図４３】円盤カム用シリンダーヘッド平面図・断面図
【図４４】吸排気機構付円盤カム用シリンダーヘッドの排気用カムピン側の断面図
【図４５】吸排気機構付円盤カム用シリンダーヘッドの吸気用カムピン側の断面図
【図４６】稼動羽受ファン側面図・正面図・縦断面図
【図４７】可変ピストン軸の6面・断面図
【図４８】稼動羽受ファンと可変ピストン軸の各稼働行程図
【図４９】プロペラアロウズエンジンの背面図
【図５０】稼動羽受ファンと可変ピストン軸の背面側断面略図稼働行程１
【図５１】稼動羽受ファンと可変ピストン軸の背面側断面略図稼働行程2
【図５２】稼動羽受ファンと可変ピストン軸の背面側断面略図稼働行程3
【図５３】稼動羽受ファンと可変ピストン軸の背面側断面略図稼働行程4
【図５４】稼動羽受プロペラ片と押し戻し扇の共通２方向傾斜
【図５５】螺旋材カットによる稼動羽受プロペラ片と押し戻し扇の共通形状
【図５６】吸気口開閉行程略図3
【図５７】吸気口開閉行程略図4
【発明を実施するための形態】
【００１２】
以下、実施の形態を、図１から図54に示した本発明と、一実施例に基づいて図2で説明する。
【００１３】
図22・23の押し戻し扇（18）は、まず内部稼動受プロペラ管（27）分の穴の開いたヴアームクーヘンの様な平たい筒形状のものを、２から２０分の1にカットとしたうちの半分である1から１０個の扇柱形状である円柱片材（90）の内側で、窪んだ弧をえがく面を正面とし、その円柱片材（90）の左面と平面と背面の辺が交差する点を基点に、左面と平面の共通辺に対して、左面と正面の共通辺に接するラインを成す角度が15°から75°の∠Bが内傾斜上部カットライン（91）で、
円柱片材（90）の右面と下面と正面の辺が交差する点を基点に、右面と下面の共通辺に対して、右面と背面の共通辺に接するラインを成す角度が15°から75°の∠Cが内傾斜下部カットライン（92）で、これら内傾斜上部カットライン（91）と内傾斜下部カットライン（92）を回転方向に結ぶ傾斜を形成するｒが円柱片材（90）の側面の長さ（右面と下面の共通辺）の4分の１から円柱片材（90）の側面の長さ（右面と下面の共通辺）の100倍の長さになるようにカットし、次に押し戻し扇（18）の厚み分を残すように反対側の面をカットしてできた内傾斜の押し戻し扇片（14）になり、円柱片材（90）の左面と平面と正面の辺が交差する点を基点に、左面と平面の共通辺に対して、左面と背面の共通辺に接するラインを成す角度が15°から75°の∠Aが、外傾斜上部カットライン（93）で、円柱片材（90）の右面と下面と背面の辺が交差する点を基点に、右面と下面の共通辺に対して、右面と正面の共通辺に接するラインを成す角度が15°から75°の∠Dが、外傾斜下部カットライン（94）で、これら外傾斜上部カットライン（93）と外傾斜下部カットライン（94）を回転方向に結ぶ傾斜を形成するｒが円柱片材（90）の側面の長さ（右面と下面の共通辺）の4分の１から円柱片材（90）の側面の長さ（右面と下面の共通辺）の100倍の長さになるようにカットし、次に押し戻し扇（18）の厚み分を残すように反対側の面をカットしてできた外傾斜の押し戻し扇片（64）か、上記の内傾斜の押し戻し扇片（14）の何れかの押し戻し扇（18）部品
【００１４】
図22・23の内部稼動受プロペラ管（27）よりも大きい穴の開いた円柱を、２から２０分の1にカットとしたうちの半分である1から１０個の円柱片材B（97）、又は上記の円柱片材（90）の穴のであった部分を内側から5割から9.5割切削した円柱片材B（97）を上記と同じようにカットした内傾斜共通レール（95）か、外傾斜共通レール（96）の何れかの稼働受レール（17）・戻し引きレール（72）・レールカバー（73）共通形状の部品
【００１５】
上記の円柱片材（90）の外側の弧部分を5割から9.5割切削したものを上記と同じようにカットした小プロペラ片（100）
【００１６】
上記と別に一例をあげた図5の押し戻し扇（18）は、ヴアームクーヘンの様な平たい筒状のものの中央の穴の中心点から２から２０分割だが、実施例としては四等分した形状で、中心の孔を除いた半径（77）・厚み（76）・外周弧の長さ・内周弧の長さからなる形状になり、これを右側面図の押し戻し扇（18）の形状に削りだすため上部平面の外側の一点を基点に上部平面右を90°とし、上部平面基準の稼動受プロペラ片材内側傾斜角（82）が270°から200°の何れかの角度か、又は上部平面の内側の一点を基点に稼動受プロペラ片材外側傾斜角（83）を90°から160°の何れかの角度に切削し、次に底面の内側の一点を基点に底面右を90°とし、底面基準の稼動受プロペラ片材内側傾斜角（65）が20°から70°の何れかの角度、又は底面の外側の一点を基点に稼動受プロペラ片材外側傾斜角（81）を270°から340°の何れかの角度に切削し、上記の角度に切削したライン同士である上部平面基準の稼動受プロペラ片材内側傾斜角（82）と底面基準の稼動受プロペラ片材内側傾斜角（65）か、稼動受プロペラ片材外側傾斜角（83）と底面基準の稼動受プロペラ片材外側傾斜角（81）を、それぞれ結ぶように内側叉は外側に、円の方向に沿って滑らかな傾斜を設け、さらに厚み分残すように反対側も切削するか、この形状に鋳造した部品２個。
【００１７】
他の加工例として押し戻し扇（18）・稼動羽受プロペラ片（149）の共通加工例は、外部稼動受プロペラ管（55）を幾つも繋ぎ合わせた形状の長いパイプ形状ものの中央に内部稼動受プロペラ管（27）を幾つも繋ぎ合わせた形状の長いパイプ形状のものを置き、その間の周囲に螺旋を形成した螺旋部品（164）の先端部を３６０°÷気筒数＝中心から描く弧の角度に螺旋形成開始位置から分割カットするもので、使用例4気筒の場合は、先端部を螺旋形成開始位置から十文字にカットして出来たプロペラ片集合材（166）の先端部の螺旋形成開始位置の辺から螺旋を９０°下った扇形状の下の辺の位置で辺に合わせて水平に横カットしてできたプロペラ片材（145）を、金太郎飴のように所定の位置でカットして４つ作り、プロペラ片材（145）の内側である内部稼動受プロペラ管（27）を4等分した面を寄せ集めて再度内部稼動受プロペラ管（27）を形成するように溶着した部品
【００１８】
図２５の小プロペラ片（100）は上記のレールカバー（73）などの共通形状の部品の内側弧よりも内側よりの弧で形成される円柱片材を上記のように加工した部品。
【００１９】
上記と別に一例をあげた図６の稼働受レール（17）と、戻し引きレール（72）と、レールカバー（73）は共通形状で、上記ヴアームクーヘンの様な平たい筒状の２から２０分割で、使用例としては4分の１のものの、穴の中心から中心の孔を除いた半径（77）の内側から５割から９割切削し、上記押し戻し扇（18）と同じ様に切削するか、この形状に鋳造した部品６個。
【００２０】
図27・28の稼動受プロペラ（2）は上記稼働受２プロペラ（139）の押し戻し扇（18）が付いていない部分又言い換えると押し戻し扇（18）同士の間の位置で下記と同じ3方向の傾斜角を持つ小プロペラ片（100）を設けた構造
【００２１】
図54の押し戻し扇（18）・稼動羽受プロペラ片（149）の共通形状としては薄い円盤状の板を２から２０分に１の部品を、使用例としては4分の1の物を、フラット状態から裏表に掛けての間で円錐台の側面の一部を形成する様にｒを付けた部分と、稼動羽受ファン（148）正面に対しての傾斜角が前方を０°、後方を１８０°としたときに、２０°から１６０°の間で設けた部分と、稼動羽受ファン（148）の側面に対しての傾斜角が前方を０°、後方を１８０°としたときに、２０°から１６０°の間で設けた部分、これらの何れか１つの角から３つの角度で形成される。
【００２２】
扇形状板（163）は、円盤状の中央に内部稼動受プロペラ管（27）用の穴を開け、それを１から２０等分した部品。
【００２３】
図46の稼動羽受ファン（148）は、簡略的に言うと、扇風機の羽根の形状に似ていて、違いは羽根同士の奥と手前の側面が正面から見ての間隔がない形状の物で、詳しく述べると上記の内部稼動受プロペラ管（27）に使用例として4等分の上記扇形状板（163）を、扇形状板の側面同士に対するｒを表からフラット状態から裏に掛けて何れかの角度を設けた部分と、
稼動羽受ファン（148）正面に対しての傾斜角が前方を０°、後方を１８０°としたときに、２０°から１６０°の間で傾斜を設けた部分と、稼動羽受ファン（148）の側面に対しての傾斜角が前方を０°、後方を１８０°としたときに、２０°から１６０°の間で傾斜を設けた部分で、稼動羽受プロペラ片（149）の側面同士から内側に伸ばしたラインが交わる位置を基点に外側の弧に放射上に伸ばしたラインから内側の弧の長さはそれぞれ同じ様に整えた形状。
【００２４】
図７・8のピストン軸用の稼動受プロペラ（2）は、シャフト（1）を通す孔の開いた円筒形状の内部稼動受プロペラ管（27）の外側に、上記押し戻し扇（18）の内側（穴であった側）を、1から１5枚、または実施例では２枚の押し戻し扇（18）を押し戻し扇（18）のサイズ分の間隔をとり、対角線上でひとつ越しに固定し、その間を1から１5枚または実施例では２枚の稼働受レール（17）の表面のｒの向きを合わせ、それぞれの側面外端である接続面に適宜にRをつけて湾曲し、滑らかにして溶着した部分と、押し戻し扇（18）と稼働受レール（17）の外周に大きい円筒形の外部稼動受プロペラ管（55）を溶着した部分と、外部稼動受プロペラ管（55）と押し戻し扇（18）の接合部から稼動誘導ローラー（4）が滑動できるように隙間を設けた位置に表面のｒの向きを合わせて、レールカバー（73）を外部稼動受プロペラ管（55）の内側に溶着した部分と、外部稼動受プロペラ管（55）と稼働受レール（17）の接合部から稼動誘導ローラー（4）が滑動できるように隙間を設けた位置に表面のｒの向きを合わせて、戻し引きレール（72）を外部稼動受プロペラ管（55）の内側を溶着した部分と、レールカバー（73）と戻し引きレール（72）の接続面に適宜にRをつけて湾曲し、滑らかにして溶着した部分からなる形状か、この形に鋳造した稼動受プロペラ（2）部品。
【００２５】
また別の表現をすると、金属製やプラスチック製・木製のファンのはねの様な形状で、右回りにより後方に空気の流れを作るの場合の稼動受プロペラ（2）の正面から見て各はねである押し戻し扇（18）の回転時に空気の流れを作るハネの側面である奥側面と、次の右側のはねである押し戻し扇（18）の手前側面との間隔（隙間）がないサイズで、交互にはねの付け根の傾斜の向きが逆向きにして、内部稼動受プロペラ管（27）の周囲に押し戻し扇（18）の内側の弧と押し戻し扇（18）の側面同士を溶着して、その側面の接続面に適宜にRをつけて湾曲し、滑らかな波打った形状の押し戻し扇（18）の輪が出来でき、この押し戻し扇（18）の輪の円周に外部稼動受プロペラ管（55）の内周面に溶着して、シリンダー側から見て右回りの場合は、右上がりの傾斜の押し戻し扇（18）の内部稼動受プロペラ管（27）側から外部稼動受プロペラ管（55）から稼動誘導ローラー（4）の横幅分のスペースを残して切削してのこつた部分が稼働受レール（17）になり、これと同じもので稼動誘導ローラー（4）のローラー幅分のスペースを開けて対設に外部稼動受プロペラ管（55）の内周面に溶着して設けたのが戻し引きレール（72）になり、またこれと同じ共通形状のレールカバー（73）を左上がりの傾斜の押し戻し扇（18）の外周面から稼動誘導ローラー（4）のローラー幅分のスペースを開けて対設に外部稼動受プロペラ管（55）の内周面に溶着して出来た稼働受２プロペラ（139）に押し戻し扇（18）の外周弧を内周よりに稼動誘導ローラー（4）の横幅分以上のスペースを切削した小プロペラ片（100）の内側の弧を稼働受レール（17）側で、逆傾斜に内部稼動受プロペラ管（27）側面に溶着した稼動受プロペラ（2）
【００２６】
また別の表現で言うと、シャフト（1）を通す孔の開いた円筒形状の内部稼動受プロペラ管（27）の外側に、上記押し戻し扇（18）1から１５枚の内側を押し戻し扇（18）のサイズの間隔をとり、ひとつ越しに固定し、その押し戻し扇（18）同士の間の側面であるシリンダー側から見て右回転時に空気の流れを作る押し戻し扇（18）の奥側面と次の押し戻し扇（18）の手前側面に、外寄りに5割から０.5割の幅で1から１５枚の稼働受レール（17）で渡設して接続面に適宜にRをつけて湾曲し、滑らかにして固定し、押し戻し扇（18）と稼働受レール（17）の外周に大きい円筒形の外部稼動受プロペラ管（55）でここも固定し、次に外部稼動受プロペラ管（55）と押し戻し扇（18）の接合部からピストン側に稼動誘導ローラー（4）が滑動できるように隙間を開けて接合部に沿って外部稼動受プロペラ管（55）内側側面位置にレールカバー（73）を固定した部分と、外部稼動受プロペラ管（55）と稼働受レール（17）の接合部からピストン側に稼動誘導ローラー（4）が滑動できるように隙間を開けて接合部に沿って外部稼動受プロペラ管（55）内側側面位置に戻し引きレール（72）を固定した部分と、レールカバー（73）の側面と戻し引きレール（72）の接続面に適宜にRをつけて湾曲し、滑らかにして固定した部分からなる稼動受プロペラ（2）
【００２７】
又簡潔に言い表すと押し戻し扇（18）は内側を内部稼動受プロペラ管（27）で固定し、外側を外部稼動受プロペラ管（55）で固定した部分と、押し戻し扇（18）分の間隔を開けた部分に稼動受プロペラ（2）を正面から見て各はねの手前側面（回転時に風を切る面）と次にはねの奥側面の外寄り側面に稼働受レール（17）固定した部分と、稼働受レール（17）の外側と外部稼動受プロペラ管（55）の接する面を固定した部分と押し戻し扇（18）からピストン側に稼動誘導ローラー（4）が滑動できるように隙間を開けて接合部に沿って、外部稼動受プロペラ管（55）内側側面位置にレールカバー（73）を固定した部分と、外部稼動受プロペラ管（55）と稼働受レール（17）の接合部からピストン側に稼動誘導ローラー（4）が滑動できるように隙間を開けて接合部に沿って外部稼動受プロペラ管（55）内側側面位置に戻し引きレール（72）を固定した部分とレールカバー（73）の側面と戻し引きレール（72）の側面とを固定した部分からなる形状の稼動受プロペラ（2）部品と、上記の稼動受プロペラ（2）にシャフト（１）挿通し、接続部を融着させた部分と、これよりピストンエンジン結束部（25）分の間隔をあけた端にカムに回転を伝えるギア（ピン歯車）を設けた部分が稼動部（20）になる。
【００２８】
さらに簡潔に表現をすると、シャフト（1）固定部の内部稼動受プロペラ管（27）の周囲に冷却と燃費効率とピストン運動を回転に変える誘導リング（167）保持の押し戻し扇（18）を押し戻し扇（18）分の間隔を開けて交互に気筒数に応じて１から15箇所設け扇風シャフト（170）の押し戻し扇（18）外周弧に外部稼動受プロペラ管（55）を溶着して固定したものを、シリンダー側から見て右回転の場合は、押し戻し扇（18）の手前の辺が右で、奥の辺が左なる向きで、押し戻し扇（18）の外弧に稼動誘導ローラー（4）が滑動できるように間隔を開けて、押し戻し扇（18）の外弧に対設にレールカバー（73）を外部稼動受プロペラ管（55）の内側側面に溶着し、押し戻し扇（18）の右辺と、右側の押し戻し扇（18）の左辺に稼働受レール（17）を渡設して両辺と外部稼動受プロペラ管（55）の内側側面に溶着し、その稼働受レール（17）の外弧に稼動誘導ローラー（4）が滑動できるように間隔を開けて、稼働受レール（17）の外弧に対設で、レールカバー（73）に渡設位置に、両辺と外部稼動受プロペラ管（55）の内側側面に溶着した稼動受プロペラ（2）
【００２９】
または外部稼動受プロペラ管（55）の内周面に押し戻し扇（18）・レールカバー（73）・稼働受レール（17）・戻し引きレール（72）で形成する誘導レール（168）の代わりに誘導溝（169）設けた誘導リング（167）
【００３０】
押し戻し扇（18）と小プロペラ片（100）を交互に内側の弧を適宜の傾斜を持たせて、内部稼動受プロペラ管（27）周囲に溶着したものにシャフト（1）を通して固定したものが扇風シャフト（170）
【００３１】
図9のヘッドギア（41）は、円盤状のもの中央にシャフト（１）用の穴であるシャフト用孔（48）を切削した部分と、外周寄りの位置にヘッド軸（49）を１から２０等間隔片面に配置したの部品で、使用例としては四方に配置した構造。
【００３２】
図40の円盤カム（111）はシリンダー受エンド（９）又は円盤カム用シリンダーヘッド（127）より一回り小さい円盤状のもの中央にシャフト（１）用の穴である円盤カム用シャフト用孔（128）を切削した部分と、次に吸気用カムピン（123）と排気用カムピン（124）の位置は気筒数や稼働行程に応じて適宜に等間隔に配置するもので、使用例として4気筒の場合は、円盤状の外周寄り片面の吸気孔位置の円盤カム用バルブリフター（129）分の長さの位置または円盤カム用シリンダーヘッド（127）と円盤カム（111）のシャフト口同士を合わせ、円盤カム用シリンダーヘッド（127）の円盤カム吸気孔（137）と合う円盤カム（111）任意の位置に吸気用カムピン（123）を設け、この位置と基点の円盤カム用シャフト用孔（128）を結ぶラインから右へ90°で、排気孔位置の円盤カム用バルブリフター（130）分の長さの位置または円盤カム用シリンダーヘッド（127）と円盤カム（111）のシャフト口同士と、円盤カム吸気孔（137）には吸気用カムピン（123）を合わせた右の円盤カム排気孔（138）の位置に排気用カムピン（124）を設けた形状になる。
【００３３】
図14の稼動部（20）は、上記の稼動受プロペラ（2）のレールカバー（73）側の内部稼動受プロペラ管（27）の穴にシャフト（１）が4分の１または用途やサイズに応じて適宜の位置に挿通し、接続部を融着させた部分と、ヘッドギア（41）のヘッド軸（49）を内側（稼動受プロペラがある方）に、シャフト（１）が0.5ｍｍ突き出た位置に融着してできた部品。
【００３４】
図15の円盤カム用稼動部（140）は、上記の稼働羽受プロペラ（148）か、稼動受プロペラ（2）にシャフト（１）が4分の１または用途やサイズに応じて適宜の位置に挿通し、接続部を融着させた部分と、これよりピストンエンジン結束部（25）分の間隔をあけた端に図34円盤カム（111）の吸気用カムピン（123）や排気用カムピン（124）がある側を内側（稼動受プロペラがある方）に、シャフト（１）が0.5ｍｍ突き出た位置に融着してできた部品。
【００３５】
図10のピストンエンジン部（54）は従来のピストン（36）と同じ様に円柱形状のピストン（5）の片側シリンダーヘッド側の平面に窪みを切削したピストンキャビティ（115）部と、外周にピストンリング（６）を1から５つ設けたピストン（5）で、このピストン（5）より一回り大きい筒型形状のシリンダー（3）に対して、ピストン（5）が前後移動可能に内装し、稼動受プロペラ（2）または稼働羽受プロペラ（148）側のピストン（5）の中央に接続した四角柱の稼動誘導軸である稼動受プロペラ（2）用のピストン軸（43）または稼働羽受プロペラ（148）使用の場合は可変ピストン軸（153）部分と、上記シリンダー（3）のピストン軸（43）があるピストン（5）側、別に言い換えると稼動受プロペラ（2）がある方のシリンダー（3）側面を中央に稼動誘導軸用の四角い穴を設けた稼動誘導軸孔（60）設けたピストン壁（98）で閉るように溶着した部分と、先ほどの稼動誘導軸孔（60）に上記ピストン軸（43）が前後移動出来る様に軸架して、さらにシリンダー（3）の外に出たピストン軸（43）の先端部側面に回転可能に嵌設された車輪状の下記稼動誘導ローラー（4）を設けた部分と、シリンダーヘッド側面か、閉じていないシリンダー（3）側面にプラグ（37）とトップフィードインジェクター（116）を設けた部分からなる。
【００３６】
図１５のシリンダーブロック（109）はシリンダー（3）の片側をピストン壁（98）で閉じ、その閉じた方の先端部付近の外周をシリンダー受トップ（42）のシリンダー用孔（47）で固定し、閉じてない方をシリンダー受エンド（9）のシリンダー用窪み部（74）か、または円盤カムの場合は円盤カム用シリンダーヘッド（127）のシリンダー用窪み部（74）で嵌着または溶着したもの、またはこの形状に鋳造した構造になる。
【００３７】
図１４の吸排気機構付シリンダーヘッド（110）は、それぞれのピストンエンジン（54）をシリンダー受エンド（9）で閉じ、その反対側シリンダー受エンド（9）側面のそれぞれのピストンエンジン（54）の中央位置に円柱形のカム軸（11）１から２０箇所を接続し、その先端に回転可能に嵌着した上記の十字ギア（12）部分と、それぞれのシリンダー受エンド（9）の吸気孔（75）部分と貫通する吸気中継配管（142）の片側を固定し、固定していない側を十字ギア（12）の厚さ分間隔を空けて台座又はボディーの固定された吸気配管（10）先端部を設けることで、4分の１回転に一回吸気孔（75）と吸気中継配管（142）と十字ギア吸気孔（13）と吸気配管（10）が接続貫通する部分と、それぞれのシリンダー受エンド（9）の排気孔（16）部分と貫通する排気中継配管（143）の片側を固定し、固定していない側を十字ギア（12）の厚さ分間隔を空けて台座又はボディーの固定された排気配管（89）先端部を設けることで、4分の１回転に一回排気孔（16）と排気中継配管（143）と十字ギア排気孔（88）と排気配管（89）が接続貫通する部分からなる。
【００３８】
図43の円盤カム用シリンダーヘッド（127）は円盤形状のものの中央にシャフト用孔（48）を設けた部分と、その周囲に円盤の厚みの半分だけ窪んだシリンダー用窪み部（74）１から２０箇所の部分と、この部分のシリンダー用窪み部（74）である一段目の窪みの中のシャフト用孔（48）よりの位置と、その延長線上の外周よりに、さらに円盤の厚みの半分だけ窪みである二段目の窪みと、そのそれぞれの中央にその窪みの半分の直径の大きさの貫通孔を設け、二段目の窪みの周囲にリング状のバルブシート（119）を嵌着してバルブシート（119）の穴と貫通孔が同じ大きさの貫通孔になり、そこに管状のバルブガイド（120）を嵌着して出来たシャフト用孔（48）よりの円盤カム排気孔（138）部分と、外周よりの円盤カム吸気孔（137）部分からなる。
【００３９】
図44.45の吸排気機構付円盤カム用シリンダーヘッド（141）は、円盤カム用シリンダーヘッド（127）の窪みがない面の円盤カム吸気孔（137）位置に四角い容器形状の吸気ポート（118）を被せる様に設置面を溶着し、その吸気ポート（118）底部付近の任意の位置に吸気配管（10）を接続した部分と、円盤カム用シリンダーヘッド（127）の窪みがない面の円盤カム排気孔（138）位置に四角い容器形状の排気ポート（117）を被せる様に設置面を溶着し、その排気ポート（117）底部付近の任意の位置に排気配管（89）を接続した部分と、細い棒状の先端にラッパ形状の先端のバルブ（114）を円盤カム吸気孔（137）から吸気ポート（118）底部穴を開け突き出た部分にバルブスプリング（113）を通して、バルブ（114）のラッパ形状の先端の反対側を、長方形の先端部に斜めの傾斜30°から60°の何れか適宜の角度に切削した吸気孔位置の円盤カム用バルブリフター（129）部分と、細い棒状の先端にラッパ形状の先端のバルブ（114）を円盤カム排気孔（138）から排気ポート（117）底部穴を開け突き出た部分にバルブスプリング（113）を通して、バルブ（114）のラッパ形状の先端の反対側を、長方形の先端部に斜めの傾斜30°から60°の何れか適宜の角度に切削した排気孔位置の円盤カム用バルブリフター（130）部分が、シリンダー用窪み部（74）の数だけ各部分を設けた構造。
【００４０】
図１５のピストンエンジン結束部（25）は上記ピストンエンジン部（54）の稼動受プロペラ（2）用ピストン軸（43）または稼働羽受プロペラ（148）用可変ピストン軸（153）側のシリンダー（3）を、シリンダー受トップ（42）のシリンダー用孔（47）で固定した部分と、ピストンエンジン部（54）のピストンキャビティ（115）側の、各シリンダー（3）側面で閉じていない部分を吸排気機構付シリンダーヘッド（110）または吸排気機構付円盤カム用シリンダーヘッド（141）のシリンダー用窪み部（74）で閉じて固定した部分からなる構造。
【００４１】
上記のシリンダー受エンド（9）側の上記のシリンダー（3）側面または円盤カム（111）側面にプラグ（37）とトップフィードインジェクター（116）を設けた構造のピストンエンジン（54）。
【００４２】
図１４のピストンエンジン結束部と台座固定部（108）は上記のピストンエンジン結束部（25）のシリンダー受トップ（42）下部の螺子穴（50）と台座固定部（108）のシリンダー受トップ固定バー（29）の螺子穴（50）を螺子（53）で固定した部分と、シリンダー受エンド（9）下部の螺子穴（50）と台座固定部（108）のシリンダー受エンド固定バー（51）の螺子穴（50）を螺子（53）で固定した部分からなる物か、または、本体固定台座（52）以外の固定方法としてシリンダー受トップ（42）とシリンダー受エンド（9）の周囲をボディーの台座に嵌着する方法もある。
【００４３】
図10・11の稼動受プロペラ（2）用ピストン軸（43）は、四角柱形状の先端部の側面に回転可能に車輪状の稼動誘導ローラー（4）を嵌設した１から２０個の部品。
【００４４】
図47の稼働羽受プロペラ（148）用可変ピストン軸（153）の先端部のボール保持部（159）は、可変ピストン軸（153）形状の四角柱管形状材の断面サイズの正六面体の片面に球体であるピストン軸ボール（154）を5.5割から9割部分を内蔵し、ピストン軸ボール（154）が稼動羽受プロペラ片（149）の傾斜で摺動して自由に回転できるように削成するかその形に鋳造した形状の部品。
【００４５】
図47の可変ピストン軸（153）は、四角柱の管形状材の中間位置に横カット（160）2分の1と、そこから横カットの２倍から２０倍の所要な長さに切り込みを入れた縦カット（161）と、さらにそこから横カット2分の1で切断した形状のもの内の長さが長い方の、カットしていない側を閉じた形状の物が可変ピストン軸固定部（152）で、もう片方の短い長さの方のカットしていない側を上記ボール保持部（159）にピストン軸ボール（154）を嵌めたて、この部分とは反対側を溶着し、これより一回り大きい四角柱管形の可変ピストン軸用磁石部（158）を先端部近傍に嵌着した可変ピストン軸可動部（151）で、上記の可変ピストン軸固定部（152）に可変ピストン軸ばね（150）を嵌挿して内蔵し、その可変ピストン軸ばね（150）中心の穴に円柱形状の棒である芯（162）を可変ピストン軸固定部（152）の先端部から先ほど閉じた付け根の位置まで通して、可変ピストン軸固定部（152）の底部で三箇所を溶着した部分と、芯（162）が内装されていない可変ピストン軸ばね（150）の部分に可変ピストン軸可動部（151）の閉じていない側の切断面を合わせて嵌挿して内蔵し可変ピストン軸可動部（151）の底部と可変ピストン軸ばね（150）の端を溶着したこれらの構造。
【００４６】
上記稼働羽受プロペラ（148）用可変ピストン軸（153）の先端部付近の側面周囲に可変ピストン軸用磁石部（158）段差が出来ている部分が、稼動羽受ファン（148）の稼動羽受プロペラ片（149）の側面に接触しても然程抵抗はないものとするが、補足的に別の方法としてボール保持部（159）と可変ピストン軸可動部（151）の間に磁石部を設けることで可変ピストン軸（153）の側面をフラットにもできる。
【００４７】
図48の様に膨張・吸気時には稼動羽受ファン（148）の稼動羽受プロペラ片（149）を押す時の傾斜の高い面に対して可変ピストン軸固定部（152）のカットしていない先端部側の面が向いており、可変ピストン軸固定部（152）の先端部と可変ピストン軸可動部（151）段差部が可動位置で、可変ピストン軸固定部（152）の先端部の側面と可変ピストン軸可動部（151）の先端部の側面の同士向かい合うように力が働き垂直の棒形状を保っている状態で、また逆に圧縮・排気時には稼動羽受ファン（148）の次の稼動羽受プロペラ片（149）の高い端の部分に、可変ピストン軸可動部のカットしていない先端部側の面が向いる面が接触して押される事で可変ピストン軸固定部（152）の先端部と可変ピストン軸可動部（151）段差部の位置が可動位置で、ここから折れ曲がり、元の棒形状に戻ろうとする力がピストン（5）を押し込む動きを生み、完全に押し込んだ可変ピストン軸（153）が真直ぐな状態で、次の稼動羽受プロペラ片（149）の高い端の部分にピストン軸ボール（154）がくる。
【００４８】
上記の稼働羽受プロペラ（148）用可変ピストン軸（153）をピストン壁（98）の稼動誘導軸孔（60）を通して、ピストンキャビティ（115）の反対側のピストン（5）中央に固定する。
【００４９】
図50・51・52・53の稼働行程は、まず図50の稼動羽受ファンと可変ピストン軸の稼働行程１は、第一エンジン（56）が膨張状態で稼動羽受ファン（148）の稼動羽受プロペラ片（149）を可変ピストン軸（153）が押す時、稼動羽受プロペラ片（149）傾斜の高い面に対して可変ピストン軸固定部（152）の可動側の先端部内側面の反対側が向いており、その可変ピストン軸固定部（152）の可動側の先端部の側面と可変ピストン軸可動部（151）の付け根側の先端部の側面の同士が向かい合うように力が働き垂直の棒形状を保っている状態で、可変ピストン軸（153）のピストン軸ボール（154）が回転しながら稼動羽受ファン（148）の傾斜を下り（シリンダー側から見て奥に移動し）4分の１回転させ、この時第二エンジン（57）が排気状態で可変ピストン軸（153）の可変ピストン軸可動部（151）の側面と稼動羽受プロペラ片（149）の側面が接触して可変ピストン軸（153）の可変ピストン軸可動部（151）の付け根である段差の位置から曲がった状態で、可変ピストン軸（153）が元の形状に戻ろうとする力でピストン（58）を押し戻している状態で、この時第三エンジン（58）が吸気状態で可変ピストン軸（153）の可変ピストン軸用磁石部（158）の磁力によりピストン軸ボール（154）が常に稼動羽受プロペラ片（149）表面にくっつきながら転がっている状態で、左回転により図で見た表現として高い位置(山)又は可変ピストン軸固定部の背面から見た表現としては手前から低い位置（谷）又は可変ピストン軸固定部の背面から見た表現としては奥へ、稼動羽受プロペラ片（149）の傾斜の分だけ可変ピストン軸（153）が引かれ燃焼室（7）が広がっている状態で、この時第四エンジン（59）が圧縮状態で稼動羽受ファン（148）の稼動羽受プロペラ片（149）の高い端の部分に可変ピストン軸可動部（151）の先端部側の面が向いており、可変ピストン軸固定部（152）の可動側の先端部と可変ピストン軸可動部（151）段差部が可動位置で、可変ピストン軸固定部（152）の先端内側面と可変ピストン軸可動部（151）の先端内側面が向かい合う側面同士が向かい合うのと反対側に力が働き段差の位置から折れ曲がる事で傾斜が出来、その時に可変ピストン軸ばね（150）の力により真直ぐな形状に戻ろうとする力が可変ピストン軸（153）のピストン（5）押し込む動きを生む、そして次の行程である図5１の稼動羽受ファンと可変ピストン軸の稼働行程２は、第四エンジン（59）が膨張状態で、稼動羽受ファン（148）の稼動羽受プロペラ片（149）を可変ピストン軸（153）が押す時、稼動羽受プロペラ片（149）傾斜の高い面に対して可変ピストン軸固定部（152）の可動側の先端部内側面の反対側が向いており、その可変ピストン軸固定部（152）の可動側の先端部の側面と可変ピストン軸可動部（151）の付け根側の先端部の側面の同士が向かい合うように力が働き垂直の棒形状を保っている状態で、可変ピストン軸（153）のピストン軸ボール（154）が回転しながら稼動羽受ファン（148）の傾斜を下り（シリンダー側から見て奥に移動し）4分の１回転させ、この時第一エンジン（56）が排気状態で、可変ピストン軸（153）の可変ピストン軸可動部（151）の側面と稼動羽受プロペラ片（149）の側面が接触して可変ピストン軸（153）の可変ピストン軸可動部（151）の付け根である段差の位置か��曲がった状態で、可変ピストン軸（153）が元の形状に戻ろうとする力でピストン（58）を押し戻している状態で、この時第二エンジン（57）が吸気状態で、可変ピストン軸（153）の可変ピストン軸用磁石部（158）の磁力によりピストン軸ボール（154）が常に稼動羽受プロペラ片（149）表面にくっつきながら転がっている状態で、左回転により図で見た表現として高い位置(山)又は可変ピストン軸固定部の背面から見た表現としては手前から低い位置（谷）又は可変ピストン軸固定部の背面から見た表現としては奥へ、稼動羽受プロペラ片（149）の傾斜の分だけ可変ピストン軸（153）が引かれ燃焼室（7）が広がっている状態で、この時第三エンジン（58）が圧縮状態になり、稼動羽受ファン（148）の稼動羽受プロペラ片（149）の高い端の部分に可変ピストン軸可動部（151）の先端部側の面が向いており、可変ピストン軸固定部（152）の可動側の先端部と可変ピストン軸可動部（151）段差部が可動位置で、可変ピストン軸固定部（152）の先端内側面と可変ピストン軸可動部（151）の先端内側面が向かい合う側面同士が向かい合うのと反対側に力が働き段差の位置から折れ曲がる事で傾斜が出来、その時に可変ピストン軸ばね（150）の力により真直ぐな形状に戻ろうとする力が可変ピストン軸（153）のピストン（5）押し込む動きを生む、そして次の行程である図52の稼動羽受ファンと可変ピストン軸の稼働行程3は、第三エンジン（58）が膨張状態で、第四エンジン（59）が排気状態で、第一エンジン（56）が吸気状態で、第二エンジン（57）が圧縮状態になり、そして次の行程である図53の稼動羽受ファンと可変ピストン軸の稼働行程4は、第二エンジン（57）が膨張状態で、第三エンジン（58）が排気状態で、第四エンジン（59）が吸気状態で、第一エンジン（56）が圧縮状態になり、これらの４行程を繰り返す事で回転を作る。
【００５０】
膨張状態で稼動中はピストン（５）側から可変ピストン軸（153）方向に掛かる力が力点で、可変ピストン軸固定部（152）の先端部付近の芯（162）が支点になり、稼動羽受プロペラ片（149）の傾斜により力点の位置が接触位置であるピストン軸ボール（154）に移り、芯が通っていない可変ピストン軸可動部（151）の段差の位置より先端部にかけて内側に掛かる力が作用点になる。
【００５１】
吸気状態の時はピストン軸ボール（154）が可変ピストン軸用磁石部（158）の磁力により転がりながら稼動羽受プロペラ片（149）の傾斜をくっつきながら摺動して下り（ピストン側から見て奥に移動）、その際には可変ピストン軸（153）は真直ぐな状態でピストン（5）を移動させる。
【００５２】
図9の十字ギア（12）は、円盤状の中央にカム軸（11）の接続口であるカム軸接続孔（99）と、十字ギアツメ（15）を１から２０箇所等間隔に設けたもので、使用例として十字ギアツメ（15）四方に配置し、そのうちの十字ギアツメ（15）同士の間一箇所で、中央の穴と十字ギアツメ（15）の間になる部分に十字ギア吸気孔（13）と、その外側である十字ギアツメ（15）と十字ギア（12）の外周端の間に十字ギア排気孔（88）を、それぞれ1箇所設けた１から２０個の部品。
【００５３】
図３６・３７・３８・３９の円盤カム稼働行程は、例えば４気筒の場合の図36のプロペラアロウズエンジン円盤カム吸排気口開閉行程１の時、吸気状態の第三エンジン（58）の吸気孔位置の円盤カム用バルブリフター（129）と円盤カム（111）の吸気用カムピン（123）が歯合する位置で、吸気配管（10）から吸気ポート（118）を中継して燃焼室（7）へ吸気され、排気状態の第二エンジン（57）の排気孔位置の円盤カム用バルブリフター（130）と円盤カム（111）の排気用カムピン（124）が歯合する位置で、燃焼室（7）から排気ポート（117）を中継して排気配管（89）へ排気され、膨張状態の第一エンジン（56）・圧縮状態の第四エンジン（59）から、図37のプロペラアロウズエンジン円盤カム吸排気口開閉行程2の時、吸気状態の第二エンジン（57）の吸気孔位置の円盤カム用バルブリフター（129）と円盤カム（111）の吸気用カムピン（123）が歯合する位置で、吸気配管（10）から吸気ポート（118）を中継して燃焼室（7）へ吸気され、排気状態の第一エンジン（56）の排気孔位置の円盤カム用バルブリフター（130）と円盤カム（111）の排気用カムピン（124）が歯合する位置で、燃焼室（7）から排気ポート（117）を中継して排気配管（89）へ排気され、膨張状態の第四エンジン（59）・圧縮状態の第三エンジン（58）から、図38のプロペラアロウズエンジン円盤カム吸排気口開閉行程3の時、吸気状態の第一エンジン（56）の吸気孔位置の円盤カム用バルブリフター（129）と円盤カム（111）の吸気用カムピン（123）が歯合する位置で、吸気配管（10）から吸気ポート（118）を中継して燃焼室（7）へ吸気され、排気状態の第四エンジン（59）の排気孔位置の円盤カム用バルブリフター（130）と円盤カム（111）の排気用カムピン（124）が歯合する位置で、燃焼室（7）から排気ポート（117）を中継して排気配管（89）へ排気され、膨張状態の第三エンジン（58）・圧縮状態の第二エンジン（57）から、図39のプロペラアロウズエンジン円盤カム吸排気口開閉行程4の時、吸気状態の第四エンジン（59）の吸気孔位置の円盤カム用バルブリフター（129）と円盤カム（111）の吸気用カムピン（123）が歯合する位置で、吸気配管（10）から吸気ポート（118）を中継して燃焼室（7）へ吸気され、排気状態の第三エンジン（58）の排気孔位置の円盤カム用バルブリフター（130）と円盤カム（111）の排気用カムピン（124）が歯合する位置で、燃焼室（7）から排気ポート（117）を中継して排気配管（89）へ排気され、膨張状態の第二エンジン（57）・圧縮状態の第一エンジン（56）から、
最初の行程にもどる4段階の行程繰り返す。
【００５４】
上記のピストンエンジンを固定するためのシリンダー受トップ（42）は、図3・9の様に円盤状の中央にシャフト孔（48）部分と、その外側にシリンダー用孔（47）を１から２０箇所の貫通孔部分と、シリンダー用孔（47）同士の間に穴を設けた内寄りの通気口（70）部分と、シリンダー用孔（47）同士の間の外側に穴を設けた外寄りの通気口（69）部分と、シリンダー受トップ（42）の下部外側通気口（69）の下の位置に螺子穴（50）を設けたこれらの形状からなる部品。
【００５５】
上記シリンダー受トップ（42）と略同じ形状でシリンダー用孔（４７）にあたる貫通孔の代わりに円盤の厚みの半分だけ窪んだシリンダー用窪み部（74）１から２０箇所の部分と、窪みの中心になるカム軸（11）がくる部分よりも上に吸気孔（75）と、それより右側でカム軸（11）がくる横部分に排気孔（16）を設けた形状で、使用例４気筒としては、窪んだシリンダー用窪み部（74）４つがある面のうちシリンダー受エンド（9）の円上側の２つの共通窪み形状は窪みの中心であるカム軸（11）より上に吸気配管（10）から来る吸気中継配管（142）と接続貫通する吸気孔（75）部分と、カム軸（11）より右側に設けた排気配管（89）から来る排気中継配管（143）と接続貫通する排気孔（16）部分と、これとは反対にシリンダー受エンド（9）の円下側半分はシャフト（1）を中心として点対称に２つのシリンダー用窪み部（74）の吸気孔（75）位置と排気孔（16）位置が配置されたこれらの形状からなるシリンダー受エンド（９）の部品。
【００５６】
図1・１２の本体固定台座（52）は、まず図12-本体固定台座（52）平面図概観形状のように板状の本体固定板（44）に、その前方コーナー位置にボルト螺子（45）用の穴２箇所と、それより後方に少し間隔を開けた位置と、平面図の長い辺の中央線と交わる位置にシャフト口（28）を持つ支柱の回転体第一保持部（46）と、それより後方に稼動受プロペラ（２）より少し広い間隔を開けた位置と、中央線と交わる位置にシャフト口（28）を持つ支柱の回転体第二保持部（71）と、
それより後方に少し間隔を開けた位置と、中央線と交わる位置に螺子穴（50）を持つ支柱のシリンダー受トップ固定バー（29）と、それより後方にピストンエンジン結束部の広さ分の間隔を開けた位置と、中央線と交わる位置に螺子穴（50）を持つ支柱のシリンダー受エンド固定バー（51）と、後方のコーナー位置にボルト螺子（45）用の穴２箇所設けたこれらの形状からなる部品。
【００５７】
プロペラアロウズエンジンの各部の接続構造は、ピストンエンジン結束部（25）の各ピストン軸（43）の先端部の稼動誘導ローラー（4）が稼動部（20）の稼動受プロペラ（2）の押し戻し扇（18）とレールカバー（73）の間に例えば第一エンジン（56）の先端部と、対角線上の押し戻し扇（18）とレールカバー（73）の間に例えば第三エンジン（58）の先端部と、稼働受レール（17）と戻し引きレール（72）の間に例えば第二エンジン（57）の先端部と、対角線上の稼働受レール（17）と戻し引きレール（72）の間に例えば第四エンジン（59）の先端部と、に可動可能にレールの溝に嵌め込まれた部分と、稼動部（20）の稼動受プロペラ（２）とヘッドギア（41）の間の位置のシャフト（1）がシリンダー受トップ（42）とシリンダー受エンド（９）のシャフト用孔（48）に回転可能に軸支され、さらに十字ギア（１２）の十字ギアツメ（15）とヘッドギア（41）のヘッド軸（49）が歯合する位置にセットし、次に前方のシャフト（1）から稼動受プロペラ（２）の位置に台座（52）の回転体第一保持部（46）のシャフト口（28）を通した部分と稼動受プロペラ（２）の後方のシャフト（1）に回転体第二保持部（71）のシャフト口（28）通した部分とで稼動部（20）を回転可能に軸架した部分と、シリンダー受トップ（42）とシリンダー受エンド（9）の外側ふちの部分を台座や本体ボディーに据付や嵌着するか、本体固定台座（52）のシリンダー受トップ固定バー（29）の螺子穴（50）にシリンダー受トップ（42）の螺子穴（50）と、シリンダー受エンド固定バー（51）の螺子穴（50）にシリンダー受エンド（９）の螺子穴（50）を合わせ、螺子（53）で固定する構造。
【００５８】
円盤カム用ピストンエンジン結束部は、上記ピストンエンジン結束部（25）の吸排気機構付シリンダーヘッド（110）を吸排気機構付円盤カム用シリンダーヘッド（141）に、ピストン軸（43）または可変ピストン軸（153）に、嵌め変えた構造。
【００５９】
円盤カム用プロペラアロウズエンジンの各部の接続構造は、ピストンエンジン結束部（25）の各可変ピストン軸（153）の先端部のピストン軸ボール（154）が円盤カム用稼動部（140）の稼動羽受ファン（148）の稼動羽受プロペラ片（149）表面に接触状態と、対角線上の稼動羽受プロペラ片（149）表面に接触状態と、その間の稼動羽受プロペラ片（149）側面に可変ピストン軸（153）の可変ピストン軸可動部（151）の側面が接触して可変ピストン軸（153）の可変ピストン軸可動部（151）の付け根が曲がった状態と、対角線上の可変ピストン軸可動部（151）の側面と稼動羽受プロペラ片（149）の側面が接触して可変ピストン軸（153）の可変ピストン軸可動部（151）の付け根が曲がった状態で、これらの部分と、円盤カム用稼動部（140）の稼動羽受ファン（148）と円盤カム（111）の間の位置のシャフト（1）がシリンダー受トップ（42）とシリンダー受エンド（９）のシャフト用孔（48）に回転可能に軸支し、次に例えば４気筒の第一エンジン（56）の吸気孔位置の円盤カム用バルブリフター（129）と円盤カム（111）の吸気用カムピン（123）が歯合する位置の場合第二エンジン（57）の排気孔位置の円盤カム用バルブリフター（130）と円盤カム（111）の排気用カムピン（124）が歯合する位置にセットし、次に正面のシャフト（1）から稼動羽受ファン（148）の位置に台座（52）の回転体第一保持部（46）のシャフト口（28）を通した部分と稼動受プロペラ（２）の後方のシャフト（1）に回転体第二保持部（71）のシャフト口（28）通した部分とで円盤カム用稼動部（140）を回転可能に軸架した部分と、シリンダー受トップ（42）とシリンダー受エンド（9）の外側ふちの部分を台座や本体ボディーに据付や嵌着するか、本体固定台座（52）のシリンダー受トップ固定バー（29）の螺子穴（50）をシリンダー受トップ（42）下部の螺子穴（50）に、シリンダー受エンド固定バー（51）の螺子穴（50）をシリンダー受エンド（9）下部の螺子穴（50）に合わせ、螺子（53）で固定する。
【００６０】
図３・４・9・16・17・20・21・27・28・29・30・31・32・56・57のプロペラアロウズエンジン稼動行程はまず吸排気口開閉第１行程略図（84）の第一エンジン（56）の十字ギア（12）の十字ギア吸気孔（13）と十字ギア排気孔（88）の位置が、背面から見てカム軸（11）の左から下に移動して吸気配管（10）と排気配管（89）のどちらの位置から外れている状態で、次に第四稼動行程略図（24）の第一エンジン（56）の膨張前の状態からプラグ（37）点火により燃焼室（7）の空間が広がった状態で、前後移動のピストン軸（43）の稼動誘導ローラー（４）が、ピストン軸（43）側から見て手前(山)である時計回りに回転移動の稼動受プロペラ（2）の稼働受レール（17）の傾斜右端に押し込み、傾斜を稼動誘導ローラー（４）が転がりながらシリンダー側から見て奥(谷)であるピストン軸（43）とは反対側寄りの稼働受レール（17）の左端位置に稼動受プロペラ（2）を回転移動させ第一稼動行程略図（21）の膨張状態に移り、稼動受プロペラ（2）を4分の１回転させると同時に、吸排気口開閉第１行程略図（84）の第二エンジン（57）の十字ギア（12）の十字ギア吸気孔（13）と十字ギア排気孔（88）の位置が、背面から見てカム軸（11）の上から左に移動して、吸気配管（10）と排気配管（89）のどちらの位置から外れている状態で、次に第四稼動行程略図（24）の第二エンジン（57）の圧縮前の状態から上記第一稼動行程略図（21）の第一エンジン（56）膨張による4分の１回転により、第二エンジン（57）のピストン軸（43）の稼動誘導ローラー（４）がピストン軸（43）側から見て左上がり（左手前）の傾斜の押し戻し扇（18）により、ピストン軸（43）が押し戻され、吸排気機構付シリンダーヘッド（110）側にピストン（5）の位置が移動して、燃焼室（７）の空間が狭くなった状態でプラグ（37）の点火前にある第一稼動行程略図（21）の圧縮状態に移り、またこの時に上記の押し戻し扇（18）が９０°移動した際に前方の空気を後方に送っていると同時に、吸排気口開閉第１行程略図（84）の第三エンジン（58）の十字ギア（12）の十字ギア吸気孔（13）と十字ギア排気孔（88）の位置が、背面から見てカム軸（11）の左から下に移動して排気配管（89）から十字ギア排気孔（88）が、接続貫通位置から外れて十字ギア（12）の側面で塞がった状態に、また十字ギア吸気孔（13）は吸気配管（10）と重なった状態で開通状態になり、次に第四稼動行程略図（24）の第三エンジン（58）吸気前の状態から上記第一稼動行程略図（21）の第一エンジン（56）膨張による4分の１回転により、第三エンジン（58）のピストン軸（43）の稼動誘導ローラー（４）が第三エンジン（58）側から見て右下がり（右奥）の傾斜の戻し引きレール（72）に引かれて山（シリンダー寄り）を下り、ピストン軸（43）が引かれる事で、ピストン壁（98）側にピストン（5）の位置が移動して、燃焼室（７）の空間が広がり、吸気配管（10）・十字ギア吸気孔（13）・吸気中継配管（142）・吸気孔（75）を通り吸気する第一稼動行程略図（21）の吸気状態に移ると同時に、吸排気口開閉第１行程略図（84）の第四エンジン（59）の十字ギア（12）の十字ギア吸気孔（13）と十字ギア排気孔（88）の位置が、背面から見てカム軸（11）の上から左に移動して吸気配管（10）から十字ギア吸気孔（13）が、接続貫通位置から外れて十字ギア（12）の側面で塞がった状態になり、また十字ギア排気孔（88）は排気配管（89）と重なった状態で開通状態になり、次に第四稼動行程略図（24）の第四エンジン（59）排気前の状態から上記第一稼動行程略図（21）の第一エンジン（56）膨張による4分の１回転により、第四エンジン（59）のピストン軸（43）の稼動誘導ローラー（４）が第四エンジン（59）側から見て右上がり（右手前）の傾斜の押し戻し扇（18）に押し戻され山（シリンダー寄り）を上り、ピストン軸（43）が押される事で、吸排気機構付シリンダーヘッド（110）側にピストン（5）の位置が移動して、燃焼室（７）の空間が狭くなり、
第一稼動行程略図（21）の排気状態に移り、またこの時に上記の押し戻し扇（18）が９０°移動した際に前方の空気を後方に送っている事で、各シリンダーの一つの行程が終了し、次の行程は吸排気口開閉第2行程略図（85）の第二エンジン（57）の十字ギア（12）の十字ギア吸気孔（13）と十字ギア排気孔（88）の位置が、背面から見てカム軸（11）の左から下に移動して吸気配管（10）と排気配管（89）のどちらの位置から外れている状態で、次に第一稼動行程略図（21）の第二エンジン（57）の膨張前の状態からプラグ（37）点火により燃焼室（7）の空間が広がった状態で、前後移動のピストン軸（43）の稼動誘導ローラー（４）が、ピストン軸（43）側から見て手前(山)である時計回りに回転移動の稼動受プロペラ（2）の稼働受レール（17）の傾斜右端に押し込み、傾斜を稼動誘導ローラー（４）が転がりながらシリンダー側から見て奥(谷)であるピストン軸（43）とは反対側寄りの稼働受レール（17）の左端位置に稼動受プロペラ（2）を回転移動させ第二稼動行程略図（22）の膨張状態に移り、稼動受プロペラ（2）を4分の１回転させると同時に吸排気口開閉第2行程略図（85）の第三エンジン（58）の十字ギア（12）の十字ギア吸気孔（13）と十字ギア排気孔（88）の位置が、背面から見てカム軸（11）の上から左に移動して、吸気配管（10）と排気配管（89）のどちらの位置から外れている状態で、次に第一稼動行程略図（21）の第三エンジン（58）の圧縮前の状態から上記第二稼動行程略図（22）の第二エンジン（57）膨張による4分の１回転により、第三エンジン（58）のピストン軸（43）の稼動誘導ローラー（４）が第三エンジン（58）側から見て右上がり（右手前）の傾斜の押し戻し扇（18）により、ピストン軸（43）が押し戻され、吸排気機構付シリンダーヘッド（110）側にピストン（5）の位置が移動して、燃焼室（７）の空間が狭くなった状態でプラグ（37）の点火前にある第一稼動行程略図（21）の圧縮状態に移り、またこの時に上記の押し戻し扇（18）が９０°移動した際に前方の空気を後方に送っていると同時に、吸排気口開閉第2行程略図（85）の第四エンジン（59）の十字ギア（12）の十字ギア吸気孔（13）と十字ギア排気孔（88）の位置が、背面から見てカム軸（11）の左から下に移動して排気配管（89）から十字ギア排気孔（88）が、接続貫通位置から外れて十字ギア（12）の側面で塞がった状態に、また十字ギア吸気孔（13）は吸気配管（10）と重なった状態で開通状態になり、次に第一稼動行程略図（21）の第三エンジン（58）吸気前の状態から上記第二稼動行程略図（22）の第二エンジン（57）膨張による4分の１回転により、第三エンジン（58）のピストン軸（43）の
稼動誘導ローラー（４）が第三エンジン（58）側から見て左上がり（左手前）の傾斜の戻し引きレール（72）に引かれて山（シリンダー寄り）を下り、ピストン軸（43）が引かれる事で、ピストン壁（98）側にピストン（5）の位置が移動して、燃焼室（７）の空間が広がり、吸気配管（10）・十字ギア吸気孔（13）・吸気中継配管（142）・吸気孔（75）を通り吸気する第二稼動行程略図（22）の吸気状態に移ると同時に、吸排気口開閉第2行程略図（85）の第一エンジン（56）の十字ギア（12）の十字ギア吸気孔（13）と十字ギア排気孔（88）の位置が、背面から見てカム軸（11）の下から右に移動して吸気配管（10）は十字ギア（12）の側面で塞がった状態で、十字ギア排気孔（88）は排気配管（89）と重なった状態で開通状態になり、次に第一稼動行程略図（21）の第一エンジン（56）排気前の状態から上記第一稼動行程略図（21）の第一エンジン（56）膨張による4分の１回転により、第一エンジン（56）のピストン軸（43）の稼動誘導ローラー（４）が
第一エンジン（56）側から見て左上がり（左手前）の傾斜の押し戻し扇（18）に押し戻され山（シリンダー寄り）を上り、ピストン軸（43）が押される事で、吸排気機構付シリンダーヘッド（110）側にピストン（5）の位置が移動して、燃焼室（７）の空間が狭くなり、第二稼動行程略図（22）の排気状態に移り、またこの時に上記の押し戻し扇（18）が９０°移動した際に前方の空気を後方に送っている事で、各シリンダーの一つの行程が終了し、次の行程は吸排気口開閉第３行程略図（86）の第三エンジン（58）の十字ギア（12）の十字ギア吸気孔（13）と十字ギア排気孔（88）の位置が、背面から見てカム軸（11）の右から上に移動して吸気配管（10）と排気配管（89）のどちらの位置から外れている状態で、
次に第二稼動行程略図（22）の第三エンジン（58）の膨張前の状態からプラグ（37）点火により燃焼室（7）の空間が広がった状態で、前後移動のピストン軸（43）の稼動誘導ローラー（４）が、ピストン軸（43）側から見て手前(山)である時計回りに回転移動の稼動受プロペラ（2）の稼働受レール（17）の傾斜左端に押し込み、傾斜を稼動誘導ローラー（４）が転がりながらシリンダー側から見て奥(谷)であるピストン軸（43）とは反対側寄りの稼働受レール（17）の右端位置に稼動受プロペラ（2）を回転移動させ第三稼動行程略図（23）の膨張状態に移り、稼動受プロペラ（2）を4分の１回転させると同時に、吸排気口開閉第３行程略図（86）の第四エンジン（59）の十字ギア（12）の十字ギア吸気孔（13）と十字ギア排気孔（88）の位置が、背面から見てカム軸（11）の下から右に移動して、吸気配管（10）と排気配管（89）のどちらの位置から外れている状態で、次に第二稼動行程略図（22）の第四エンジン（59）の圧縮前の状態から上記第三稼動行程略図（23）の第三エンジン（58）膨張による4分の１回転により、第四エンジン（59）のピストン軸（43）の稼動誘導ローラー（４）が、第四エンジン（59）側から見て右上がり（右手前）の傾斜の押し戻し扇（18）により、ピストン軸（43）が押し戻され、吸排気機構付シリンダーヘッド（110）側にピストン（5）の位置が移動して、燃焼室（７）の空間が狭くなった状態でプラグ（37）の点火前にある第三稼動行程略図（23）の圧縮状態に移り、またこの時に上記の押し戻し扇（18）が９０°移動した際に前方の空気を後方に送っていると同時に、吸排気口開閉第３行程略図（86）の第一エンジン（56）の十字ギア（12）の十字ギア吸気孔（13）と十字ギア排気孔（88）の位置が、背面から見てカム軸（11）の右から上に移動して排気配管（89）から十字ギア排気孔（88）が、接続貫通位置から外れて十字ギア（12）の側面で塞がった状態に、また十字ギア吸気孔（13）は吸気配管（10）と重なった状態で開通状態になり、次に第二稼動行程略図（22）の第一エンジン（56）吸気前の状態から上記第三稼動行程略図（23）の第三エンジン（58）膨張による4分の１回転により、第一エンジン（56）のピストン軸（43）の稼動誘導ローラー（４）が第一エンジン（56）側から見て左下がり（左奥）の傾斜の戻し引きレール（72）に引かれて山（シリンダー寄り）を下り、ピストン軸（43）が引かれる事で、ピストン壁（98）側にピストン（5）の位置が移動して、燃焼室（７）の空間が広がり、吸気配管（10）・十字ギア吸気孔（13）・吸気中継配管（142）・吸気孔（75）を通り吸気する第三稼動行程略図（23）の吸気状態に移ると同時に、吸排気口開閉第３行程略図（86）の第二エンジン（57）の十字ギア（12）の十字ギア吸気孔（13）と十字ギア排気孔（88）の位置が、背面から見てカム軸（11）の下から右に移動して吸気配管（10）が十字ギア（12）の側面で塞がった状態で、十字ギア排気孔（88）は排気配管（89）と重なった状態で開通状態になり、次に第二稼動行程略図（22）の第二エンジン（57）排気前の状態から上記第三稼動行程略図（23）の第三エンジン（58）膨張による4分の１回転により、第二エンジン（57）のピストン軸（43）の稼動誘導ローラー（４）が第二エンジン（57）側から見て左上がり（左手前）の���斜の押し戻し扇（18）に押し戻され山（シリンダー寄り）を上り、ピストン軸（43）が押される事で、吸排気機構付シリンダーヘッド（110）側にピストン（5）の位置が移動して、燃焼室（７）の空間が狭くなり、第三稼動行程略図（23）の排気状態に移り、またこの時に上記の押し戻し扇（18）が９０°移動した際に前方の空気を後方に送っている事で、各シリンダーの一つの行程が終了し、次の行程は吸排気口開閉第４行程略図（87）の第四エンジン（59）の十字ギア（12）の十字ギア吸気孔（13）と十字ギア排気孔（88）の位置が、背面から見てカム軸（11）の右から上に移動して吸気配管（10）と排気配管（89）のどちらの位置から外れている状態で、次に第三稼動行程略図（23）の第四エンジン（59）の膨張前の状態からプラグ（37）点火により燃焼室（7）の空間が広がった状態で、前後移動のピストン軸（43）の稼動誘導ローラー（４）が、ピストン軸（43）側から見て手前(山)である時計回りに回転移動の稼動受プロペラ（2）の稼働受レール（17）の傾斜左端に押し込み、傾斜を稼動誘導ローラー（４）が転がりながらシリンダー側から見て奥(谷)であるピストン軸（43）とは反対側寄りの稼働受レール（17）の右端位置に稼動受プロペラ（2）を回転移動させ第四稼動行程略図（24）の膨張状態に移り、稼動受プロペラ（2）を4分の１回転させると同時に、吸排気口開閉第４行程略図（87）の第一エンジン（56）の十字ギア（12）の十字ギア吸気孔（13）と十字ギア排気孔（88）の位置が、背面から見てカム軸（11）の上から左に移動して、吸気配管（10）と排気配管（89）のどちらの位置から外れている状態で、次に第三稼動行程略図（23）の第一エンジン（56）の圧縮前の状態から上記第四稼動行程略図（24）の第四エンジン（59）膨張による4分の１回転により、第一エンジン（56）のピストン軸（43）の稼動誘導ローラー（４）が第一エンジン（56）側から見て左上がり（左手前）の傾斜の押し戻し扇（18）により、ピストン軸（43）が押し戻され、吸排気機構付シリンダーヘッド（110）側にピストン（5）の位置が移動して、燃焼室（７）の空間が狭くなった状態でプラグ（37）の点火前にある第四稼動行程略図（24）の圧縮状態に移り、またこの時に上記の押し戻し扇（18）が９０°移動した際に前方の空気を後方に送っていると同時に、吸排気口開閉第４行程略図（87）の
第二エンジン（57）の十字ギア（12）の十字ギア吸気孔（13）と十字ギア排気孔（88）の位置が、背面から見てカム軸（11）の右から上に移動して排気配管（89）から十字ギア排気孔（88）が、接続貫通位置から外れて十字ギア（12）の側面で塞がった状態に、また十字ギア吸気孔（13）は吸気配管（10）と重なった状態で開通状態になり、次に第三稼動行程略図（23）の第二エンジン（57）吸気前の状態から上記第四稼動行程略図（24）の第四エンジン（59）膨張による4分の１回転により、第二エンジン（57）のピストン軸（43）の稼動誘導ローラー（４）が第二エンジン（57）側から見て左下がり（左奥）の傾斜の戻し引きレール（72）に引かれて山（シリンダー寄り）を下り、ピストン軸（43）が引かれる事で、ピストン壁（98）側にピストン（5）の位置が移動して、燃焼室（７）の空間が広がり、吸気配管（10）・十字ギア吸気孔（13）・吸気中継配管（142）・吸気孔（75）を通り吸気する第四稼動行程略図（24）の吸気状態に移ると同時に、吸排気口開閉第４行程略図（87）の第三エンジン（58）の十字ギア（12）の十字ギア吸気孔（13）と十字ギア排気孔（88）の位置が、背面から見てカム軸（11）の上から左に移動して吸気配管（10）は十字ギア（12）の側面で塞がった状態と、十字ギア排気孔（88）は排気配管（89）と重なった状態で開通状態になり、次に第三稼動行程略図（23）の第三エンジン（58）排気前の状態から上記第四稼動行程略図（24）の第四エンジン（59）膨張による4分の１回転により、第三エンジン（58）のピストン軸（43）の稼動誘導ローラー（４）が第三エンジン（58）側から見て右上がり（右手前）の傾斜の押し戻し扇（18）に押し戻され山（シリンダー寄り）を上り、ピストン軸（43）が押される事で、吸排気機構付シリンダーヘッド（110）側にピストン（5）の位置が移動して、燃焼室（７）の空間が狭くなり、第四稼動行程略図（24）の排気状態に移り、またこの時に上記の押し戻し扇（18）が９０°移動した際に前方の空気を後方に送っている事で、各シリンダーの一つの行程が終了し、これら４行程を繰り返して回転を作る。
【００６１】
図29・30・31・32の背面図は図20・21と略同じもので、分かり難い分正確な配置図になっており、補足的に両図を参照していただき、また上記の吸排気口開閉行程略図の説明をさらに理解して頂ける様に説明を省略している部分を説明するもので、まず吸気孔（75）と吸気中継（142）の接続面が溶着されており、その反対側の面を十字ギア（12）の側面で塞がっている状態を吸気配管（10）番で表しており、4分の１回転に1回だけ吸気中継（142）と十字ギア吸気孔（13）と吸気配管（10）が接続貫通している状態を接続開通部（106）の表記で表した部分と、排気孔（16）と排気中継配管（143）の接続面が溶着されており、その反対側の面を十字ギア（12）の側面で塞がっている状態を排気配管（89）番で表しており、4分の１回転に1回だけ排気中継配管（143）と十字ギア排気孔（88）と排気配管（89）が接続貫通している状態を接続開通部（106）の表記で表している。
【００６２】
図2実施例のスターリングエンジンは上記の多目的プロペラアロウズエンジンの排気孔（16）を塞ぎ、第一エンジン（56）の吸気孔（75）と第三エンジン（58）の吸気孔（75）を加熱部（61）に、第二エンジン（57）の吸気孔（75）と第四エンジン（59）の吸気孔（75）は冷却部（63）に接続し、加熱部（61）と冷却部（63）の間に再生器（62）を設けた構造。
【００６３】
スターリングエンジンの可動行程は、第四エンジン（59）と第二エンジン（57）が稼動時には稼働受レール（17）の傾斜をピストン軸（43）の稼動誘導ローラー（4）が下り（シリンダー側から見て奥に移動し）始めると同時に、第一エンジン（56）と第三エンジン（58）のピストン軸（43）の稼動誘導ローラー（4）が押し戻し扇（18）の傾斜を上りシリンダー側から見て手前に移動し）始め、完了したら今度は逆に第一エンジン（56）と第三エンジン（58）のピストン軸（43）の稼動誘導ローラー（4）が稼動し稼働受レール（17）の傾斜をピストン軸（43）の稼動誘導ローラー（4）が下り（シリンダー側から見て奥に移動し）始めると同時に、第四エンジン（59）と第二エンジン（57）のピストン軸（43）の稼動誘導ローラー（4）が戻し引きレール（72）の傾斜を上り始める動きする行程を交互に行う。
【００６４】
プロペラアロウズエンジンの空気の流れ縦断面図である図２４の様に多目的プロペラアロウズエンジンの正面であるヘッドギア（41）の接続部と反対側のシャフト（1）の前方の空気が稼動受プロペラ（２）の回転の際に押し戻し扇（18）と小プロペラ片（100）プロペラ傾斜により、後方に送り出された空気が外側と内側の空気の流れに分かれ、その内の一つ外側の空気の流れはシリンダー受トップ（42）の外側を包み込むように格シリンダー（3）の外側からシリンダー受エンド（9）・カム軸（11）・十字ギア（12）・ヘッドギア（41）・シャフト（１）の順番で後方に流れるコースと、もう一つの内側の空気の流れは外寄りの通気口（69）と内寄りの通気口（70）を通る空気の流れがシリンダー（3）サイドと内側を流れ、シリンダー受エンド（9）の外寄りの通気口（69）と内寄りの通気口（70）を通り抜けてシリンダー受エンド（9）背面・カム軸（11）・十字ギア（12）・ヘッドギア（41）・シャフト（１）の順番で内側を冷やして後方に流れるコースによりエンジン全体を冷やしている。
【００６５】
稼動羽受ファン（148）を使用した場合は、上記とは逆に空気が流れるためプロペラアロウズエンジンを前後反対に設置することで冷却効果と高速時の燃費効率を上げる。
【００６６】
稼動受プロペラ片材（171）は稼動羽受プロペラ片（149）・稼働受レール（17）・押し戻し扇（18）・戻し引きレール（72）・レールカバー（73）・小プロペラ片（100）の総称
【産業上の利用可能性】
【００６７】
本発明に係る多目的プロペラアロウズエンジンは、大きい物では発動機や機械の部品から玩具や工具の部品に至るまで幅広く利用可能性を有する。
【符号の説明】
【００６８】
1プロペラアロウズエンジン用クランク・ジャーナル（シャフト）2稼動受プロペラ3シリンダー 4稼動誘導ローラー5ピストン6ピストンリング7燃焼室8移動空間9シリンダー受エンド10 吸気配管11カム軸12十字ギア（ツメ歯車）13十字ギア吸気孔14内傾斜の稼動受プロペラ片材15十字ギアツメ16排気孔１７稼働受レール（プロペラアロウズエンジン用クランクアーム）１８押し戻し扇  19中空部20稼動部（ローター部）21第一稼動行程略図22第二稼動行程略図23第三稼動行程略図24第四稼動行程略図25ピストンエンジン結束部（ローター受け部）26ばね27内部稼動受プロペラ管28シャフト口29シリンダー受トップ固定バー30従来のエンジンのクランク・ジャーナル31従来のエンジンのクランクアーム32従来のエンジンのクランクピン33バルブ34排気口35吸気口36従来のエンジンのピストン37点火プラグ38燃焼室39従来のエンジンのコンロッド40従来のエンジンのピストンリング41ヘッドギア（ピン歯車）42シリンダー受トップ43ピストン軸（プロペラアロウズエンジン用コンロッド）44本体固定板45 ボルト螺子46回転体第一保持部47シリンダー用孔48シャフト用孔49ヘッド軸50螺子穴51シリンダー受エンド固定バー52本体固定台座（台座）53螺子54ピストンエンジン部（ピストン内蔵シリンダー部）55外部稼動受プロペラ管56第一エンジン57第二エンジン58第三エンジン59第四エンジン60稼動誘導軸孔61加熱部62再生器63冷却部64外傾斜の稼動受プロペラ片材65底面基準の稼動受プロペラ片材内側傾斜角66スターリングエンジン用稼動受盤片角度大（稼動受盤片角大）67スターリングエンジン用稼動受盤片角度小（稼動受盤片角小）68ピストンアロウ６９外寄りの通気口７０内寄りの通気口７１回転体第二保持部72戻し引きレール73レールカバー74シリンダー用窪み部（シリンダーヘッド窪み部）75吸気孔76厚み７７中心の孔を除いた半径７８谷になった位置の稼動誘導ローラー79山になった位置の稼動誘導ローラー80レール幅81底面基準の稼動受プロペラ片材外側傾斜角82上部平面基準の稼動受プロペラ片材内側傾斜角83上部平面基準の稼動受プロペラ片材外側傾斜角84吸排気口開閉第１行程略図85吸排気口開閉第２行程略図86吸排気口開閉第３行程略図87吸排気口開閉第４行程略図88十字ギア排気孔 89排気配管90穴の開いた円柱の２から２０分の１片（円柱片材）91内傾斜上部カットライン92内傾斜下部カットライン93外傾斜上部カットライン94外傾斜下部カットライン95戻し引きレール・稼働受レール・レールカバー内傾斜共通レール（内傾斜共通レール）96戻し引きレール・稼働受レール・レールカバー外傾斜共通レール（外傾斜共通レール）97円柱片材B98ピストン壁99カム軸接続孔100小プロペラ片101円柱片材C102外傾斜の小プロペラ片103内傾斜の小プロペラ片104円柱片材Bカットライン105円柱片材Cカットライン106接続開通部107ヘッド軸の位置裏側108ピストンエンジン結束部と台座固定部109シリンダーブロック110吸排気機構付シリンダーヘッド111円盤カム（円盤ピン歯車）112円盤カム用バルブリフター113バルブスプリング114バルブ115ピストンキャビティ116トップフィードインジェクター117排気ポート118吸気ポート119バルブシート120バルブガイド121バルブオイルシール122バルブリテーナー123吸気用カムピン124排気用カムピン125膨張ピストン126圧縮ピストン127円盤カム用シリンダーヘッド128円盤カ���用シャフト孔129吸気孔位置の円盤カム用バルブリフター130排気孔位置の円盤カム用バルブリフター131吸気バルブオープン132排気バルブオープン133プロペラアロウズエンジン円盤カム背面図の吸気口開閉行程一134プロペラアロウズエンジン円盤カム背面図の吸気口開閉行程二135プロペラアロウズエンジン円盤カム背面図の吸気口開閉行程三136プロペラアロウズエンジン円盤カム背面図の吸気口開閉行程四137円盤カム吸気孔138円盤カム排気孔139稼働受２プロペラ140円盤カム用稼動部（円盤カム用ローター部）141吸排気機構付円盤カム用シリンダーヘッド142吸気中継配管143排気中継配管144膨張第一ピストンと加熱部の配管145圧縮第二ピストンと冷却部の配管146膨張第三ピストンと加熱部の配管147圧縮第四ピストンと冷却部の配管148稼動羽受ファン（稼働羽受プロペラ）149稼動羽受プロペラ片150可変ピストン軸ばね151可変ピストン軸可動部152可変ピストン軸固定部153可変ピストン軸154ピストン軸ボール155ピストン軸ボール受け部156接続面から羽のR157風受けR158可変ピストン軸用磁石部159ボール保持部160横カット161縦カット16２芯163扇形状板164螺旋部品165プロペラ片材166プロペラ片集合材167誘導リング168誘導レール169誘導溝170扇風シャフト（プロペラアローシャフト）171稼動受プロペラ片材172稼動受プロペラ片材の弧173レール内側幅
1Aプロペラアロウズエンジン断面図2Aシリンダーとシリンダー受トップ断面図3Aシリンダーとシリンダー受エンド断面図4A稼働受２プロペラ縦断面図5A十字ギア縦断面図6Aヘッドギア縦断面図7Aヘッドギア底部横断面図8Aピストンエンジン後部横断面図9Aピストンエンジン前部横断面図10Aシリンダー受トップ縦断面図11Aシリンダー受エンド縦断面図12Aピストンエンジン部断面図13A十字ギアズ断面図14Aピストン軸横断面図15A稼働受２プロペラ横断面図16Aピストン軸縦断面図17Aピストン壁断面図18Aプロペラアロウズエンジンのシリンダー断面図19A吸気用カムピン対角線上円盤カム断面図20A排気用カムピン寄り円盤カム断面図21Aプロペラアロウズエンジン後部バルブリフターからの断面図22A円盤カム用シリンダーヘッド断面図23A吸気用カムピン対角線上吸排気機構付円盤カム用シリンダーヘッド断面24A排気用カムピン対角線上吸排気機構付円盤カム用シリンダーヘッド断面25A稼動受プロペラ縦断面図26A稼動受プロペラ横断面図27A稼動羽受ファン断面図28A可変ピストン軸縦断面図29A可変ピストン軸可動部横断面図30A可変ピストン軸固定部軸あり横断面図
【要約】      （修正有）【課題】全体を一方向通気で冷却する冷却効率型で走行時の燃費向上を目指すエンジンを提供する。【解決手段】シャフト１の周囲にピストン５を設け、これのピストン軸のスライド移動を受けるシリンダー３の稼動誘導軸孔と、シャフト１に固定された戻し引きレール・稼働受レール・レールカバー・押し戻し扇１８・小プロペラ片１００からなる稼動受プロペラ２の稼働受レールの面をピストン軸の先端部の稼動誘導ローラーで移動しながら回転させることにより、稼動誘導ローラーと摩擦を受ける稼働受レールの部分がスライドすることで広い面で受けることになり、これにより冷却効果を生むと同時に上記の押し戻し扇１８と小プロペラ片１００の回転で冷却のための空気の流れや、外気を取り入れることで回転を助け、更にこれらをシャフト１の周囲に一列に配置した総同一方向型直列配置エンジンとする。【選択図】図２【図１】
0005945839.tif 000002
【図２】
0005945839.tif 000003
【図３】
0005945839.tif 000004
【図４】
0005945839.tif 000005
【図５】
0005945839.tif 000006
【図６】
0005945839.tif 000007
【図７】
0005945839.tif 000008
【図８】
0005945839.tif 000009
【図９】
0005945839.tif 000010
【図１０】
0005945839.tif 000011
【図１１】
0005945839.tif 000012
【図１２】
0005945839.tif 000013
【図１３】
0005945839.tif 000014
【図１４】
0005945839.tif 000015
【図１５】
0005945839.tif 000016
【図１６】
0005945839.tif 000017
【図１７】
0005945839.tif 000018
【図１８】
0005945839.tif 000019
【図１９】
0005945839.tif 000020
【図２０】
0005945839.tif 000021
【図２１】
0005945839.tif 000022
【図２２】
0005945839.tif 000023
【図２３】
0005945839.tif 000024
【図２４】
0005945839.tif 000025
【図２５】
0005945839.tif 000026
【図２６】
0005945839.tif 000027
【図２７】
0005945839.tif 000028
【図２８】
0005945839.tif 000029
【図２９】
0005945839.tif 000030
【図３０】
0005945839.tif 000031
【図３１】
0005945839.tif 000032
【図３２】
0005945839.tif 000033
【図３３】
0005945839.tif 000034
【図３４】
0005945839.tif 000035
【図３５】
0005945839.tif 000036
【図３６】
0005945839.tif 000037
【図３７】
0005945839.tif 000038
【図３８】
0005945839.tif 000039
【図３９】
0005945839.tif 000040
【図４０】
0005945839.tif 000041
【図４１】
0005945839.tif 000042
【図４２】
0005945839.tif 000043
【図４３】
0005945839.tif 000044
【図４４】
0005945839.tif 000045
【図４５】
0005945839.tif 000046
【図４６】
0005945839.tif 000047
【図４７】
0005945839.tif 000048
【図４８】
0005945839.tif 000049
【図４９】
0005945839.tif 000050
【図５０】
0005945839.tif 000051
【図５１】
0005945839.tif 000052
【図５２】
0005945839.tif 000053
【図５３】
0005945839.tif 000054
【図５４】
0005945839.tif 000055
【図５５】
0005945839.tif 000056
【図５６】
0005945839.tif 000057
【図５７】
0005945839.tif 000058